(57)【要約】二次経路を使用して無線ベアラの使用を促進するための１つ以上のデバイス、システム、および／または方法が、提供される。例えば、構成メッセージが、二次経路が存在するかどうかを決定するために使用され得る。二次経路は、構成メッセージに基づいて構成され得る。一実施形態において、方法は、ネットワークエンティティから構成メッセージを受信することと、前記構成メッセージに基づいて、少なくとも１つの二次経路を決定することと、前記構成メッセージに基づいて、前記少なくとも１つの二次経路を構成することと、応答メッセージを前記ネットワークエンティティに送信することとを含む。
2020509629.tif 000002
【特許請求の範囲】
【請求項１】
方法であって、
ネットワークエンティティから構成メッセージを受信することと、
前記構成メッセージに基づいて、少なくとも１つの二次経路を決定することと、
前記構成メッセージに基づいて、前記少なくとも１つの二次経路を構成することと、
応答メッセージを前記ネットワークエンティティに送信することと
を含む、方法。
【請求項２】
前記少なくとも１つの二次経路を決定することは、
前記構成メッセージの第１の部分または前記構成メッセージの第２の部分が二次経路情報を備えるかどうかを決定することと、
前記第１の部分が前記二次経路情報を備えると決定することに応答して、前記第１の部分を分析し、前記少なくとも１つの二次経路に対応する少なくとも１つの二次経路識別を識別することと
を含む、請求項１に記載の方法。
【請求項３】
前記第１の部分は、前記ネットワークエンティティに基づいて決定される第１のセル群の第１のリソースに関する第１の構成を備え、
前記第２の部分は、第２のネットワークエンティティに基づいて決定される第２のセル群の第２のリソースに関する第２の構成を備える、
請求項２に記載の方法。
【請求項４】
前記少なくとも１つの二次経路を決定することは、前記構成メッセージ内の前記少なくとも１つの二次経路に対応する少なくとも１つの二次経路識別を識別することを含む、請求項１に記載の方法。
【請求項５】
前記少なくとも１つの二次経路識別は、少なくとも１つの二次論理チャネル識別を備える、請求項４に記載の方法。
【請求項６】
前記少なくとも１つの二次経路を構成することは、前記少なくとも１つの二次経路が存在するかどうかを決定することを含む、請求項１に記載の方法。
【請求項７】
前記少なくとも１つの二次経路が存在すると決定することに応答して、前記構成メッセージに基づいて、前記少なくとも１つの二次経路を修正することを含む、請求項６に記載の方法。
【請求項８】
前記少なくとも１つの二次経路が存在すると決定することに応答して、前記構成メッセージに基づいて、前記少なくとも１つの二次経路をリリースすることを含む、請求項６に記載の方法。
【請求項９】
前記少なくとも１つの二次経路が存在しないと決定することに応答して、前記構成メッセージに基づいて、前記ネットワークエンティティまたは第２のネットワークエンティティのうちの少なくとも１つへの前記少なくとも１つの二次経路を確立することを含む、請求項６に記載の方法。
【請求項１０】
前記ネットワークエンティティは、前記構成メッセージ内に構成される無線ベアラ識別に対応する無線ベアラを備える、請求項９に記載の方法。
【請求項１１】
前記ネットワークエンティティは、前記構成メッセージ内に構成される無線ベアラ識別に対応する無線ベアラのパケットデータコンバージェンスプロトコル構成を備える、請求項９に記載の方法。
【請求項１２】
前記構成メッセージ内に構成される一次論理チャネル識別に基づいて、一次経路を決定することを含む、請求項１に記載の方法。
【請求項１３】
前記少なくとも１つの二次経路を修正することは、前記少なくとも１つの二次経路と前記ネットワークエンティティ内に構成される無線ベアラとの間のマッピングを修正することを含む、請求項７に記載の方法。
【請求項１４】
前記構成メッセージ内に構成される無線ベアラ識別に基づいて、前記無線ベアラを決定することを含む、請求項１３に記載の方法。
【請求項１５】
前記少なくとも１つの二次経路を確立することは、前記少なくとも１つの二次経路と前記ネットワークエンティティ内に構成される無線ベアラとの間のマッピングを生成することを含む、請求項９に記載の方法。
【請求項１６】
前記構成メッセージ内に構成される無線ベアラ識別に基づいて、前記無線ベアラを決定することを含む、請求項１５に記載の方法。
【請求項１７】
前記少なくとも１つの二次経路を確立することは、少なくとも１つの無線リンク制御エンティティに基づいて、前記少なくとも１つの二次経路を生成することを含む、請求項９に記載の方法。
【請求項１８】
前記構成メッセージ内に構成される少なくとも１つの無線リンク制御構成に基づいて、前記少なくとも１つの無線リンク制御エンティティを決定することを含む、請求項１７に記載の方法。
【請求項１９】
前記少なくとも１つの二次経路が存在しないと決定することに応答して、前記ネットワークエンティティへの前記少なくとも１つの二次経路を確立することを含む、請求項６に記載の方法。
【請求項２０】
前記少なくとも１つの二次経路が存在しないと決定することに応答して、第２のネットワークエンティティへの前記少なくとも１つの二次経路を確立することを含む、請求項６に記載の方法。
【請求項２１】
前記構成メッセージが前記少なくとも１つの二次経路をリリースする命令を備えると決定することに応答して、パケットデータコンパージェンスプロトコルステータス報告を前記ネットワークエンティティに伝送することを含む、請求項１に記載の方法。
【請求項２２】
前記構成メッセージが前記少なくとも１つの二次経路をリリースする命令を備えると決定することに応答して、パケットデータコンパージェンスプロトコルステータス報告を前記ネットワークエンティティに伝送することを含む、請求項１に記載の方法。
【請求項２３】
前記少なくとも１つの二次経路を修正することは、前記構成メッセージが前記少なくとも１つの二次経路をリリースする命令を備えると決定することに応答して、前記少なくとも１つの二次経路と前記ネットワークエンティティ内に構成される無線ベアラとの間のマッピングを削除することを含む、請求項７に記載の方法。
【請求項２４】
前記少なくとも１つの二次経路を修正することは、前記構成メッセージが前記少なくとも１つの二次経路にリンクされる無線ベアラを削除する命令を備えると決定することに応答して、前記少なくとも１つの二次経路と前記無線ベアラとの間のマッピングを削除することを含む、請求項７に記載の方法。
【請求項２５】
前記少なくとも１つの二次経路を修正することは、前記構成メッセージが通信デバイスと関連付けられる第１のベアラタイプを変更する命令を備えると決定することに応答して、前記通信デバイスの１つ以上のコンポーネントを前記第１のベアラタイプに対応する第１の構成から第２のベアラタイプに対応する第２の構成に修正することを含む、請求項７に記載の方法。
【請求項２６】
前記通信デバイスは、ユーザ機器を備える、請求項２５に記載の方法。
【請求項２７】
前記構成メッセージ内に構成される少なくとも１つの二次経路モード識別に基づいて、前記少なくとも１つの二次経路に関するモードを決定することを含む、請求項１に記載の方法。
【請求項２８】
前記モードを決定することは、
前記少なくとも１つの二次経路モード識別が第１の識別を備えると決定することに応答して、前記モードが複製モードであると決定することと、
前記少なくとも１つの二次経路モード識別が第２の識別を備えると決定することに応答して、前記モードが分割モードであると決定することと
を含む、請求項２７に記載の方法。
【請求項２９】
方法であって、
無線ベアラと関連する少なくとも１つの二次経路を確立する要求をネットワークエンティティに伝送することと、
前記ネットワークエンティティから前記要求への応答を受信することであって、前記応答は、無線リソース情報と、アドレス情報とを備える、ことと、
前記無線リソース情報および前記アドレス情報に基づいて、構成メッセージを生成することであって、前記構成メッセージは、少なくとも１つの二次経路識別を備える、ことと、
前記構成メッセージを通信デバイスに伝送することと
を含む、方法。
【請求項３０】
前記通信デバイスから構成ステータスメッセージを受信することと、
前記構成ステータスメッセージに基づいて、前記少なくとも１つの二次経路識別に対応する前記少なくとも１つの二次経路のステータスを決定することと
を含む、請求項２９に記載の方法。
【請求項３１】
前記ステータスに基づいて、前記少なくとも１つの二次経路に対応する１つ以上の設定を修正することを含む、請求項３０に記載の方法。
【請求項３２】
前記ステータスが第１のステータスに対応すると決定することに応答して、第１の動作を実施することと、
前記ステータスが第２のステータスに対応すると決定することに応答して、第２の動作を実施することと
を含む、請求項３０に記載の方法。
【請求項３３】
方法であって、
少なくとも１つの二次経路を確立する要求に基づいて、無線リソース情報およびアドレス情報を決定することと、
前記無線リソース情報および前記アドレス情報に基づいて、構成メッセージを生成することであって、前記構成メッセージは、少なくとも１つの二次経路識別を備える、ことと、
前記構成メッセージを通信デバイスに伝送することと
を含む、方法。
【請求項３４】
通信デバイスであって、
プロセッサと、
プロセッサ実行可能命令を備えるメモリであって、前記プロセッサ実行可能命令は、前記プロセッサによって実行されると、請求項１−３３のいずれかに記載の方法の実施を引き起こす、メモリと
を備える、通信デバイス。
【請求項３５】
非一過性コンピュータ可読媒体であって、前記非一過性コンピュータ可読媒体は、その上に記憶されるプロセッサ実行可能命令を有し、前記プロセッサ実行可能命令は、実行されると、請求項１−３３のいずれかに記載の方法の実施を引き起こす、非一過性コンピュータ可読媒体。
【発明の詳細な説明】
【背景技術】
【０００１】
ユーザ機器（ＵＥ）と基地局（ＢＳ）との間、２つのＵＥ間、および／または２つのＢＳ間等のノード（例えば、通信デバイス、ネットワークエンティティ等）間の通信リンクが、１つ以上の無線ベアラを使用して促進され得る。例えば、ＢＳは、１つ以上の信号を生成する、および／または１つ以上の信号をＵＥに伝送するために、無線ベアラを使用し得る。ＵＥは、１つ以上の信号を受信および／または処理する、および／またはＢＳから受信された１つ以上の信号を処理するために、無線ベアラを使用し得る。
【発明の概要】
【課題を解決するための手段】
【０００２】
本開示によると、二次経路を使用して無線ベアラの使用を促進するための１つ以上のデバイスおよび／または方法が、提供される。実施例では、構成メッセージが、ネットワークエンティティから受信されてもよい。少なくとも１つの二次経路が、構成メッセージに基づいて決定されてもよい。少なくとも１つの二次経路は、構成メッセージに基づいて構成されてもよい。応答メッセージが、ネットワークエンティティに送信されてもよい。
【０００３】
実施例では、無線ベアラと関連する少なくとも１つの二次経路を確立する要求が、ネットワークエンティティに伝送されてもよい。要求への応答が、ネットワークエンティティから受信されてもよい。応答は、無線リソース情報と、アドレス情報とを備えてもよい。構成メッセージが、無線リソース情報およびアドレス情報に基づいて生成されてもよい。構成メッセージは、少なくとも１つの二次経路識別を備えてもよい。構成メッセージは、通信デバイスに伝送されてもよい。
【０００４】
実施例では、無線リソース情報およびアドレス情報は、少なくとも１つの二次経路を確立する要求に基づいて決定されてもよい。構成メッセージが、無線リソース情報およびアドレス情報に基づいて生成されてもよい。構成メッセージは、少なくとも１つの二次経路識別を備えてもよい。構成メッセージは、通信デバイスに伝送されてもよい。
【図面の簡単な説明】
【０００５】
本明細書に提示される技法は、代替形態において具現化され得るが、図面に図示される特定の実施形態は、本明細書に提供される説明の補足であるいくつかの実施例にすぎない。これらの実施形態は、本明細書に添付される請求項を限定する等の限定様式で解釈されるものではない。
【０００６】
【図１Ａ】図１Ａは、二次経路を使用して無線ベアラの使用を促進するための例示的方法を図示する、フローチャートである。
【０００７】
【図１Ｂ】図１Ｂは、二次経路を使用して無線ベアラの使用を促進するための例示的方法を図示する、フローチャートである。
【０００８】
【図１Ｃ】図１Ｃは、二次経路を使用して無線ベアラの使用を促進するための例示的方法を図示する、フローチャートである。
【０００９】
【図２Ａ】図２Ａは、二次経路を使用して無線ベアラの使用を促進するための例示的システムを図示する、コンポーネントブロック図である。
【００１０】
【図２Ｂ】図２Ｂは、二次経路を使用して無線ベアラの使用を促進するための例示的システムを図示する、コンポーネントブロック図である。
【００１１】
【図３Ａ】図３Ａは、二次経路を使用して無線ベアラの使用を促進するための例示的システムを図示する、コンポーネントブロック図である。
【００１２】
【図３Ｂ】図３Ｂは、二次経路を使用して無線ベアラの使用を促進するための例示的システムを図示する、コンポーネントブロック図である。
【００１３】
【図４Ａ】図４Ａは、二次経路を使用して無線ベアラの使用を促進するための例示的システムを図示する、コンポーネントブロック図である。
【００１４】
【図４Ｂ】図４Ｂは、二次経路を使用して無線ベアラの使用を促進するための例示的システムを図示する、コンポーネントブロック図である。
【００１５】
【図５】図５は、二次経路を使用して無線ベアラの使用を促進するための例示的システムを図示する、コンポーネントブロック図である。
【００１６】
【図６Ａ】図６Ａは、二次経路を使用して無線ベアラの使用を促進するための例示的システムを図示する、コンポーネントブロック図である。
【００１７】
【図６Ｂ】図６Ｂは、二次経路を使用して無線ベアラの使用を促進するための例示的システムを図示する、コンポーネントブロック図である。
【００１８】
【図７】図７は、本明細書に提示される技法の少なくとも一部を利用および／または実装し得る、基地局（ＢＳ）の例示的構成を伴うシナリオの図示である。
【００１９】
【図８】図８は、本明細書に提示される技法の少なくとも一部を利用および／または実装し得る、ユーザ機器（ＵＥ）の例示的構成を伴うシナリオの図示である。
【００２０】
【図９】図９は、本明細書に記載される提供のうちの１つ以上のものによる、例示的な非一過性コンピュータ可読媒体を特徴とするシナリオの図示である。
【発明を実施するための形態】
【００２１】
主題が、ここで、本明細書の一部を形成し、例証として、具体的例示的実施形態を示す、付随の図面を参照して以降でより完全に説明されるであろう。本説明は、公知の概念の広範または詳細な議論として意図されない。概して、当業者に公知である詳細は、省略されている場合がある、または概要方式で取り扱われ得る。
【００２２】
以下の主題は、方法、デバイス、コンポーネント、および／またはシステム等の種々の異なる形態において具現化されてもよい。故に、本主題は、本明細書に記載される任意の例示的実施形態に限定されるものとして解釈されるように意図されない。むしろ、例示的実施形態は、単に、例証であるように提供される。そのような実施形態は、例えば、ハードウェア、ソフトウェア、ファームウェア、またはそれらの任意の組み合わせの形態をとってもよい。
【００２３】
二次経路を使用して無線ベアラの使用を促進するための１つ以上のコンピューティングデバイスおよび／または技法が、提供される。例えば、ユーザ機器（ＵＥ）が、ネットワークの基地局（ＢＳ）を介して（例えば、（例えば、無線および／または有線）通信）ネットワークに接続し得る。ＢＳは、ＵＥが信号を受信するように、信号を介してＵＥに情報を伝送し得る。信号を介した情報の伝送は、情報を処理する（例えば、ＢＳ内にアンカされる）無線ベアラを伴い得る。受信された信号内の情報を使用することが可能であるように、ＵＥは、無線ベアラを使用して信号を処理し得る。無線ベアラを使用して情報を処理するいくつかの方法は、増加する（例えば、閾値を上回る）数のタイプの無線ベアラを使用し得、これは、ＵＥ上のプロトコルの保守において相当な複雑性を導入し得る（例えば、したがって、より高価であり、より信頼性のない、および／または可能であるものおよび／または望ましいものよりも低いデータ速度と関連付けられる、ＢＳとＵＥとの間の通信を提供する）。さらなる複雑性が、無線ベアラタイプの変更が必要とされる、および／または所望される状況から生じ得る。したがって、本明細書に提示される技法のうちの１つ以上のものによると、無線ベアラを使用する情報の処理は、複雑性を軽減する、効率を改良する、および／またはＢＳ（例えば、および／または１つ以上の他のＢＳ）とＵＥ（例えば、および／または１つ以上の他のＵＥ）との間の最適な通信（例えば、改良された品質、低減された処理、メモリおよび／または帯域幅使用等を伴う）を提供するためのＵＥの能力を提供する様式で二次経路（例えば、無線ベアラとＵＥの１つ以上のエンティティとの間）を導入することによって促進され得る。
【００２４】
二次経路を使用して無線ベアラの使用を促進する例示的方法１００Ａが、図１Ａに図示される。無線ベアラは、通信デバイス（例えば、ＵＥ）に提供されているサービスと関連付けられ得る（例えば、それによって使用される）、層（例えば、レイヤ２、物理層等）に関する構成を提供し得る、および／またはユーザデータおよび／または制御データを層から１つ以上の他の（例えば、上位）層に伝達するために使用され得る。したがって、無線ベアラは、層と１つ以上の他の（例えば、上位）層との間のサービスアクセスポイントとして動作し得る。故に、１０５Ａにおいて、通信デバイス（例えば、ＵＥ）は、ネットワークエンティティ（例えば、ネットワークの基地局）から構成メッセージを受信してもよい。構成メッセージは、二次論理チャネル識別等の二次経路識別を備えてもよい。構成メッセージは、代替として、および／または加えて、一次論理チャネル識別等の一次経路識別を備えてもよい。
【００２５】
１１０Ａにおいて、二次経路（例えば、二次論理チャネル）が、構成メッセージに基づいて決定されてもよい。例えば、二次経路は、二次経路識別に基づいて決定されてもよい。代替として、および／または加えて、一次経路（例えば、一次論理チャネル）が、構成メッセージに基づいて決定されてもよい。例えば、一次経路は、一次経路識別に基づいて決定されてもよい。
【００２６】
いくつかの実施例では、構成メッセージの第１の部分または構成メッセージの第２の部分が二次経路情報を備えるかどうかに関する決定が、行われてもよい。第１の部分は、ネットワークエンティティによって生成される情報、および／またはネットワークエンティティから受信される情報を備えてもよい、および／または第１の（例えば、マスタ）セル群内の１つ以上のリソースを構成するために使用されてもよい。第２の部分は、第２のネットワークエンティティによって生成される情報、および／または第２のネットワークエンティティから受信される情報を備えてもよい、および／または第２の（例えば、二次）セル群内の１つ以上のリソースを構成するために使用されてもよい。第１の部分が二次経路情報を備えると決定することに応答して、第１の部分（例えば、第２の部分ではない）は、二次経路に対応する二次経路識別を識別するために（例えば、選択的に）分析されてもよい。
【００２７】
１１５Ａにおいて、二次経路は、構成メッセージに基づいて構成されてもよい。
【００２８】
いくつかの実施例では、二次経路が通信デバイス（例えば、ＵＥ）内に存在する（例えば、および／または能動的使用中である）かどうかに関する決定が、行われてもよい。例えば、決定は、二次経路がセル群内に存在するかどうかを決定することを含んでもよい。セル群は、二次経路情報を備えると決定された構成メッセージの第１の部分によって決定および／または識別されてもよい。二次経路が存在するかどうかに関する決定は、構成メッセージ内に構成される１つ以上のパラメータに基づいて行われてもよい、および／または二次経路および／または二次経路と関連付けられる１つ以上のインジケータに関して通信デバイスの１つ以上の部分を検索することによって行われてもよい。
【００２９】
代替として、および／または加えて、決定は、通信デバイスおよび／またはネットワークエンティティの第１のコンポーネントと通信デバイスおよび／またはネットワークエンティティの第２のコンポーネントとの間にあると決定された（例えば、および／または第１のコンポーネントを第２のコンポーネントに接続する、および／またはコンポーネント間でデータを伝送するために使用されると決定された）いくつかの経路に基づいてもよい。例えば、２つ未満（例えば、ゼロ、１等）の経路が通信デバイスおよび／またはネットワークエンティティの第１のコンポーネントと通信デバイスおよび／またはネットワークエンティティの第２のコンポーネントとの間にあると決定される場合、二次経路が通信デバイス内に存在しないという決定が、行われ得る。いくつかの実施例では、２つ以上の経路が通信デバイスおよび／またはネットワークエンティティの第１のコンポーネントと通信デバイスおよび／またはネットワークエンティティの第２のコンポーネントとの間にあると決定される場合、二次経路が通信デバイス内に存在するという決定が、行われ得る。
【００３０】
二次経路が通信デバイス内に存在する（例えば、および／または能動的使用中である）と決定することに応答して、二次経路は、構成メッセージに基づいて修正されてもよい。例えば、二次経路と無線ベアラとの間のマッピングが、修正されてもよい。例えば、二次経路は、（例えば、１つ以上の第１のコンポーネントを介して）第１の配列において無線ベアラにマッピングされることから、（例えば、１つ以上の第２のコンポーネントを介して）第２の配列において無線ベアラにマッピングされることに変化してもよい。いくつかの実施例では、無線ベアラは、構成メッセージ内に構成されるベアラ識別に基づいて決定（例えば、識別）されてもよい。構成メッセージが無線ベアラのタイプを第１のベアラタイプから第２のベアラタイプに変更する命令を備えると決定することに応答して、通信デバイスおよび／またはネットワークエンティティの１つ以上のコンポーネントは、第１のベアラタイプに対応する第１の構成から第２のベアラタイプに対応する第２の構成に修正されてもよい。
【００３１】
いくつかの実施例では、二次経路を修正することは、二次経路と関連付けられる１つ以上の無線リンク制御（ＲＬＣ）エンティティを第１のＲＬＣ構成から第２のＲＬＣ構成に（例えば、構成メッセージ内の１つ以上のパラメータに従って）再構成すること、二次経路の動作モードを第１の動作モードから第２の動作モードに（例えば、構成メッセージ内の１つ以上のパラメータに従って）再構成すること、および／またはパケットデータコンバージェンスプロトコル（ＰＤＣＰ）エンティティを第１のＰＤＣＰ構成から第２のＰＤＣＰ構成に（例えば、構成メッセージ内の１つ以上のパラメータに従って）再構成することを含んでもよい。
【００３２】
いくつかの実施例では、構成メッセージが二次経路をリリースする命令および／または二次経路にリンクされる１つ以上の無線ベアラを削除する命令を備えると決定することに応答して、二次経路と無線ベアラとの間のマッピング、１つ以上のＲＬＣエンティティ、二次経路、および／または無線ベアラは、（例えば、構成メッセージ内の１つ以上のパラメータに従って）通信デバイスおよび／またはネットワークエンティティから削除されてもよい。
【００３３】
いくつかの実施例では、構成メッセージが少なくとも１つの二次経路をリリースする命令を備える、および／または第１のベアラタイプの変更に対応しないと決定されると決定することに応答して、ＰＤＣＰステータス報告が、トリガされる、および／またはネットワークエンティティに伝送されてもよい。構成メッセージは、第１のベアラタイプを変更する（例えば、明示的）命令を備えていない構成メッセージに基づいて、および／または（例えば、間接的に、および／または暗示的に）第１のベアラタイプの変更をもたらす１つ以上のアクションを引き起こさない構成メッセージに基づいて、第１のベアラタイプの変更に対応しないと決定されてもよい。
【００３４】
いくつかの実施例では、構成メッセージが少なくとも１つの二次経路をリリースする命令を備える、および／またはＰＤＣＰエンティティの再確立に対応しないと決定されると決定することに応答して、ＰＤＣＰステータス報告が、トリガされる、および／またはネットワークエンティティに伝送されてもよい。構成メッセージは、ＰＤＣＰエンティティを再確立する（例えば、明示的）命令を備えていない構成メッセージに基づいて、および／または（例えば、間接的に、および／または暗示的に）ＰＤＣＰエンティティの再確立をもたらす１つ以上のアクションを引き起こさない構成メッセージに基づいて、ＰＤＣＰエンティティの再確立に対応しないと決定されてもよい。
【００３５】
二次経路が通信デバイス内に存在しないと決定することに応答して、二次経路は、構成メッセージに基づいて通信デバイス内に確立されてもよい、および／または通信デバイスをネットワークエンティティ（例えば、これは、無線ベアラおよび／または無線ベアラのパケットデータコンバージェンスプロトコル構成（ＰＤＣＰ）を備え、したがって、本無線ベアラによってアンカされる）に接続してもよい、および／または、第２のネットワークエンティティ（例えば、これは、無線ベアラおよび／または無線ベアラのＰＤＣＰを備えておらず、したがって、本無線ベアラによってアンカされない）に接続してもよい。例えば、二次経路は、通信デバイス内に生成されてもよい、および／または無線ベアラ、ＲＬＣエンティティ、および／または二次経路と無線ベアラとの間のマッピングは、ネットワークエンティティ内に生成されてもよい。無線ベアラは、構成メッセージ内に構成されるベアラ識別に基づいて決定（例えば、識別）および／または生成されてもよい。代替として、および／または加えて、無線ベアラは、異なる（例えば、以前の）構成メッセージ内に構成されるベアラ識別に基づいて決定および／または生成されてもよい。
【００３６】
二次経路は、二次経路識別および／または（例えば、ネットワークエンティティの）ＲＬＣエンティティに対応するＲＬＣ構成等の構成メッセージのうちの少なくともいくつかに基づいて生成されてもよい。二次経路は、ＲＬＣエンティティに接続される、および／またはそれを介してイネーブルにされてもよい。
【００３７】
二次経路は、構成メッセージ内に構成される二次経路モード識別に基づいて決定されるモードを有するように修正される、および／またはそれを有するように生成されてもよい。例えば、二次経路モード識別が第１の識別（例えば、複製モードを示す）を備えると決定することに応答して、二次経路のモードは、複製モードであると決定（例えば、および設定）されてもよい。別の実施例では、二次経路モード識別が第２の識別（例えば、分割モードを示す）を備えると決定することに応答して、二次経路のモードは、分割モードであると決定（例えば、および設定）されてもよい。
【００３８】
１２０Ａにおいて、構成メッセージのステータスを示す応答および／または構成メッセージの受信後にとられる１つ以上のアクションが、通信デバイスからネットワークエンティティおよび／または第２のネットワークエンティティに送信されてもよい。
【００３９】
図２Ａ、２Ｂ、３Ａ、３Ｂ、４Ａ、４Ｂ（例えば、および／または他の図）のモジュール、図、および／または技法のうちの少なくともいくつかが、方法１００Ａの実施において組み込まれる、および／または実装され得ることを理解されたい。
【００４０】
二次経路を使用して無線ベアラの使用を促進する例示的方法１００Ｂが、図１Ｂに図示される。（例えば、ネットワーク内の）ネットワークエンティティは、進化型ノードＢ（ｅＮＢ）、ＭｅＮＢ、ＳｇＮＢ、サービングゲートウェイ（Ｓ−ＧＷ）、および／またはモビリティ管理エンティティ（ＭＭＥ）等の１つ以上の基地局を備えてもよい。故に、１０５Ｂにおいて、（例えば、ネットワークの）第２のネットワークエンティティが、（例えば、ネットワークの）ネットワークエンティティへの無線ベアラのための二次経路を確立（例えば、および／または修正）する要求を伝送してもよい。要求は、二次経路が確立（例えば、および／または修正）される通信デバイス（例えば、ＵＥ）のインジケーションを備えてもよい。
【００４１】
１１０Ｂにおいて、要求への応答が、ネットワークエンティティから（例えば、第２のネットワークエンティティによって）受信される。応答は、無線リソース情報および／またはアドレス情報等の（例えば、通信デバイスと関連付けられる）１つ以上のパラメータを備えてもよい。アドレス情報は、Ｘ２ダウンリンク（ＤＬ）トランスポートネットワーク層（ＴＮＬ）アドレスを備えてもよい。
【００４２】
１１５Ｂにおいて、構成メッセージが、無線リソース情報および／またはアドレス情報に基づいて生成されてもよい。構成メッセージは、二次論理チャネル識別等の二次経路識別を備えてもよい。構成メッセージは、代替として、および／または加えて、一次論理チャネル識別等の一次経路識別を備えてもよい。
【００４３】
１２０Ｂにおいて、構成メッセージは、通信デバイス（例えば、ＵＥ）に伝送されてもよい。
【００４４】
いくつかの実施例では、構成ステータスメッセージが、（例えば、構成メッセージの伝送後および／またはそれに応答して）通信デバイスから（例えば、第２のネットワークエンティティによって）受信されてもよい。（例えば、通信デバイス上の）二次経路のステータスが、構成ステータスメッセージに基づいて決定されてもよい。例えば、ステータスは、二次経路を確立する際の通信デバイスの完全な成功、部分的な成功、および／または失敗を示してもよい。
【００４５】
ステータスが第１のステータス（例えば、完全な成功）に対応すると決定することに応答して、第１の動作（例えば、二次経路の存在に基づいて、通信デバイスとの併用および／または相互作用を促進すること）が、実施されてもよい。ステータスが第２のステータス（例えば、部分的な成功）に対応すると決定することに応答して、第２の動作（例えば、二次経路の変動の存在に基づいて、通信デバイスとの併用および／または相互作用を促進すること）が、実施されてもよい。ステータスが第３のステータス（例えば、失敗）に対応すると決定することに応答して、第３の動作（例えば、二次経路の欠如に基づいて、通信デバイスとの併用および／または相互作用を促進すること）が、実施されてもよい。
【００４６】
図５（例えば、および／または他の図）のモジュール、図、および／または技法のうちの少なくともいくつかが、方法１００Ｂの実施において組み込まれる、および／または実装され得ることを理解されたい。
【００４７】
二次経路を使用して無線ベアラの使用を促進する例示的方法１００Ｃが、図１Ｃに図示される。故に、１０５Ｃにおいて、無線リソース情報および／またはアドレス情報が、無線ベアラと関連付けられる二次経路を確立する要求に基づいて決定されてもよい。要求は、二次経路が確立（例えば、および／または修正）される通信デバイス（例えば、ＵＥ）のインジケーションを備えてもよい。
【００４８】
１１０Ｃにおいて、構成メッセージが、無線リソース情報および／またはアドレス情報に基づいて生成されてもよい。構成メッセージは、二次論理チャネル識別等の二次経路識別を備えてもよい。構成メッセージは、代替として、および／または加えて、一次論理チャネル識別等の一次経路識別を備えてもよい。要求は、構成メッセージを生成する第２のネットワークエンティティによって生成されてもよい、および／または第２のネットワークエンティティからネットワークエンティティによって受信されてもよい。
【００４９】
１１５Ｃにおいて、構成メッセージは、ネットワークエンティティから通信デバイス（例えば、ＵＥ）に伝送されてもよい。
【００５０】
図５（例えば、および／または他の図）のモジュール、図、および／または技法のうちの少なくともいくつかが、方法１００Ｃの実施において組み込まれる、および／または実装され得ることを理解されたい。
【００５１】
図２Ａは、二次経路を使用して無線ベアラの使用を促進するためのシステム２００Ａの実施例を図示する。通信デバイス２０５（例えば、ＵＥ）および／またはネットワークエンティティ２１０（例えば、１つ以上の基地局および／またはネットワーク）が、相互に通信し得る。ネットワークエンティティ２１０は、無線ベアラ２２０、ＰＤＣＰエンティティ２２５、一次ＲＬＣエンティティ２３０、および／または媒体アクセス制御（ＭＡＣ）エンティティ２３５（例えば、その１つ以上のものがサービスと関連付けられ得る）等の１つ以上のコンポーネントおよび／またはエンティティを備えてもよい。通信デバイス２０５は、一次ＲＬＣエンティティ２３０と関連付けられ得る（例えば、それによって促進される）一次経路２４２を備えてもよい（例えば、および／またはそれを介してネットワークエンティティ２１０に接続される）。
【００５２】
ネットワークエンティティ２１０は、構成メッセージ２１５を通信デバイス２０５に伝送してもよい。構成メッセージ２１５は、二次論理チャネル識別等の二次経路識別、一次論理チャネル識別等の一次経路識別、無線ベアラ識別、１つ以上の（例えば、他の）パラメータ、および／または１つ以上の命令を備えてもよい。
【００５３】
通信デバイス２０５は、１つ以上の識別、パラメータ、および／または命令を識別するために、構成メッセージ２１５を受信および分析してもよい。通信デバイス２０５は、（例えば、ネットワークエンティティ２１０へのおよび／または無線ベアラを有していない別のネットワークエンティティへの）二次経路を決定（例えば、その１つ以上の次元および／または側面を計算）するために、構成メッセージ２１５の二次論理チャネル識別を使用してもよい。いくつかの実施例では、通信デバイス２０５は、一次経路を決定（例えば、その１つ以上の次元および／または側面を計算）するために、構成メッセージ２１５の一次論理チャネル識別を使用してもよい。
【００５４】
通信デバイス２０５は、（例えば、二次経路が通信デバイス２０５をネットワークエンティティ２１０に接続するように）二次論理チャネル識別に基づいて決定された二次経路が通信デバイス２０５内に存在する（例えば、および動作している）かどうかを決定してもよい。決定は、構成メッセージ２１５内に構成される１つ以上のパラメータに基づいて行われてもよい、および／または二次経路および／または二次経路と関連付けられる１つ以上のインジケータに関して通信デバイス２０５の１つ以上の部分を検索することによって行われてもよい。代替として、および／または加えて、決定は、通信デバイス２０５とネットワークエンティティ２１０との間にあると決定されたいくつかの経路に基づいてもよい。代替として、および／または加えて、決定は、無線ベアラ２２０等のネットワークエンティティ２１０の第１のコンポーネントとＭＡＣエンティティ２３５等のネットワークエンティティ２１０の第２のコンポーネントとの間にあると決定されたいくつかの経路に基づいてもよい。
【００５５】
通信デバイス２０５は、（例えば、二次経路が通信デバイス２０５をネットワークエンティティ２１０に接続しないように）二次経路が通信デバイス２０５内に存在しないと決定してもよい。応答して、二次経路２４３は、二次経路が通信デバイス２０５をネットワークエンティティ２１０に接続するように、通信デバイス２０５内に確立（例えば、生成）されてもよい。二次ＲＬＣエンティティ２４０が、二次経路２４３と関連して（例えば、それを促進するために）ネットワークエンティティ２１０内に確立されてもよい。例えば、二次ＲＬＣエンティティ２４０は、（例えば、既存の一次ＲＬＣエンティティ２３０に加えて）ＭＡＣエンティティ２３５にＰＤＣＰ２２５および／または無線ベアラ２２０を接続してもよい。
【００５６】
いくつかの実施例では、二次経路が通信デバイス２０５内に存在しないと決定することに応答して、無線ベアラ２２０、ＰＤＣＰ２２５、一次ＲＬＣエンティティ２３０、一次経路２４２、二次経路２４３と無線ベアラ２２０との間のマッピング、ＭＡＣエンティティ２３５、および／またはネットワークエンティティ２１０および／または通信デバイス２０５の１つ以上の他のコンポーネントは、（例えば、新しく確立された）二次経路２４３に従って生成および／または修正されてもよい。
【００５７】
図２Ｂは、二次経路を使用して無線ベアラの使用を促進するためのシステム２００Ｂの実施例を図示する。通信デバイス２０５（例えば、ＵＥ）および／またはネットワークエンティティ２１０（例えば、１つ以上の基地局および／またはネットワーク）が、相互に通信し得る。ネットワークエンティティ２１０は、無線ベアラ２２０、ＰＤＣＰエンティティ２２５、一次ＲＬＣエンティティ２３０、および／または媒体アクセス制御（ＭＡＣ）エンティティ２３５（例えば、その１つ以上のものがサービスと関連付けられ得る）等の１つ以上のコンポーネントおよび／またはエンティティを備えてもよい。通信デバイス２０５は、一次ＲＬＣエンティティ２３０と関連付けられ得る（例えば、それによって促進される）一次経路２４２を備えてもよい（例えば、および／またはそれを介してネットワークエンティティ２１０に接続される）。
【００５８】
ネットワークエンティティ２１０は、構成メッセージ２１５を通信デバイス２０５に伝送してもよい。構成メッセージ２１５は、二次論理チャネル識別等の二次経路識別、一次論理チャネル識別等の一次経路識別、無線ベアラ識別、１つ以上の（例えば、他の）パラメータ、および／または１つ以上の命令を備えてもよい。
【００５９】
通信デバイス２０５は、１つ以上の識別、パラメータ、および／または命令を識別するために、構成メッセージ２１５を受信および分析してもよい。通信デバイス２０５は、（例えば、無線ベアラを有していない）第２のネットワークエンティティ２１１への二次経路を決定（例えば、その１つ以上の次元および／または側面を計算）するために、構成メッセージ２１５の二次論理チャネル識別を使用してもよい。いくつかの実施例では、通信デバイス２０５は、（例えば、ネットワークエンティティ２１０への）一次経路を決定（例えば、その１つ以上の次元および／または側面を計算）するために、構成メッセージ２１５の一次論理チャネル識別を使用してもよい。
【００６０】
通信デバイス２０５は、（例えば、二次経路が通信デバイス２０５を第２のネットワークエンティティ２１１に接続するように）二次論理チャネル識別に基づいて決定された二次経路が通信デバイス２０５内に存在する（例えば、および動作している）かどうかを決定してもよい。決定は、構成メッセージ２１５内に構成される１つ以上のパラメータに基づいて行われてもよい、および／または二次経路および／または二次経路と関連付けられる１つ以上のインジケータに関して通信デバイス２０５の１つ以上の部分を検索することによって行われてもよい。代替として、および／または加えて、決定は、通信デバイス２０５とネットワークエンティティ２１０および／または第２のネットワークエンティティ２１１との間にあると決定されたいくつかの経路に基づいてもよい。代替として、および／または加えて、決定は、無線ベアラ２２０等のネットワークエンティティ２１０および／または第２のネットワークエンティティ２１１の第１のコンポーネントとＭＡＣエンティティ２３５等のネットワークエンティティ２１０および／または第２のネットワークエンティティ２１１の第２のコンポーネントとの間にあると決定されたいくつかの経路に基づいてもよい。
【００６１】
通信デバイス２０５は、（例えば、二次経路が通信デバイス２０５を第２のネットワークエンティティ２１１に接続しないように）二次経路が通信デバイス２０５内に存在しないと決定してもよい。応答して、二次経路２４３は、二次経路が通信デバイス２０５を第２のネットワークエンティティ２１１に接続するように、通信デバイス２０５内に確立（例えば、生成）されてもよい。二次ＲＬＣエンティティ２４０が、二次経路２４３と関連して（例えば、それを促進するために）第２のネットワークエンティティ２１１内に確立されてもよい。例えば、二次ＲＬＣエンティティ２４０は、（例えば、第２のネットワークエンティティ２１１内の）第２のＭＡＣエンティティ２３６に（例えば、ネットワークエンティティ２１０内の）ＰＤＣＰ２２５および／または無線ベアラ２２０を接続してもよい。
【００６２】
いくつかの実施例では、二次経路が通信デバイス２０５内に存在しないと決定することに応答して、無線ベアラ２２０、ＰＤＣＰ２２５、一次ＲＬＣエンティティ２３０、一次経路２４２、二次経路２４３と無線ベアラ２２０との間のマッピング、ＭＡＣエンティティ２３５、第２のＭＡＣエンティティ２３６、および／またはネットワークエンティティ２１０、第２のネットワークエンティティ２１１、および／または通信デバイス２０５の１つ以上の他のコンポーネントは、（例えば、新しく確立された）二次経路２４３に従って生成および／または修正されてもよい。
【００６３】
図３Ａは、二次経路を使用して無線ベアラの使用を促進するためのシステム３００Ａの実施例を図示する。通信デバイス２０５（例えば、ＵＥ）および／またはネットワークエンティティ２１０（例えば、ＵＥ）が、相互に通信し得る。ネットワークエンティティ２１０は、無線ベアラ２２０、ＰＤＣＰエンティティ２２５、一次ＲＬＣエンティティ２３０、および／または媒体アクセス制御（ＭＡＣ）エンティティ２３５（例えば、その１つ以上のものがサービスと関連付けられ得る）等の１つ以上のコンポーネントおよび／またはエンティティを備えてもよい。通信デバイス２０５は、一次ＲＬＣエンティティ２３０と関連付けられ得る（例えば、それによって促進される）一次経路２４２を備えてもよい（例えば、および／またはそれを介してネットワークエンティティ２１０に接続される）。
【００６４】
ネットワークエンティティ２１０は、構成メッセージ２１５を通信デバイス２０５に伝送してもよい。構成メッセージ２１５は、二次論理チャネル識別等の二次経路識別、一次論理チャネル識別等の一次経路識別、無線ベアラ識別、１つ以上の（例えば、他の）パラメータ、および／または１つ以上の命令を備えてもよい。
【００６５】
通信デバイス２０５は、１つ以上の識別、パラメータ、および／または命令を識別するために、構成メッセージ２１５を受信および分析してもよい。通信デバイス２０５は、（例えば、ネットワークエンティティ２１０へのおよび／または無線ベアラを有していない別のネットワークエンティティへの）二次経路を決定（例えば、その１つ以上の次元および／または側面を計算）するために、構成メッセージ２１５の二次論理チャネル識別を使用してもよい。いくつかの実施例では、通信デバイス２０５は、一次経路を決定（例えば、その１つ以上の次元および／または側面を計算）するために、構成メッセージ２１５の一次論理チャネル識別を使用してもよい。
【００６６】
通信デバイス２０５は、（例えば、二次経路が通信デバイス２０５をネットワークエンティティ２１０に接続するように）二次論理チャネル識別に基づいて決定された二次経路が通信デバイス２０５内に存在する（例えば、および動作している）かどうかを決定してもよい。決定は、構成メッセージ２１５内に構成される１つ以上のパラメータに基づいて行われてもよい、および／または二次経路および／または二次経路と関連付けられる１つ以上のインジケータに関して通信デバイス２０５の１つ以上の部分を検索することによって行われてもよい。代替として、および／または加えて、決定は、通信デバイス２０５とネットワークエンティティ２１０との間にあると決定されたいくつかの経路に基づいてもよい。代替として、および／または加えて、決定は、無線ベアラ２２０等のネットワークエンティティ２１０の第１のコンポーネントとＭＡＣエンティティ２３５等のネットワークエンティティ２１０の第２のコンポーネントとの間にあると決定されたいくつかの経路に基づいてもよい。
【００６７】
通信デバイス２０５は、（例えば、二次経路２４３が通信デバイス２０５をネットワークエンティティ２１０に確実に接続するように）二次経路２４３が通信デバイス２０５内に存在すると決定してもよい。応答して、通信デバイス２０５内の二次経路２４３は、構成メッセージ２１５に基づいて修正されてもよい。例えば、ＰＤＣＰ２２５および／または無線ベアラ２２０をＭＡＣエンティティ２３５に接続する二次経路２４３は、修正された二次経路２４４を生成するために修正されてもよい。修正された二次経路２４４は、二次経路２４３のものと異なる１つ以上のパラメータを備えてもよい。１つ以上のパラメータは、構成メッセージ２１５に基づいてもよい。修正された二次経路２４４を生成するための二次経路２４３の修正は、修正された二次経路２４４と無線ベアラ２２０との間の修正されたマッピングを生成するために、二次経路２４３と無線ベアラ２２０との間のマッピングを修正することを含んでもよい。二次ＲＬＣエンティティ２４０は、修正された二次経路２４４と関連して（例えば、それを促進するために）ネットワークエンティティ２１０内に修正された二次ＲＬＣエンティティ２４５を生成するために修正されてもよい。例えば、修正された二次ＲＬＣエンティティ２４５は、（例えば、既存の一次ＲＬＣエンティティ２３０に加えて）ＭＡＣエンティティ２３５にＰＤＣＰ２２５および／または無線ベアラ２２０を接続してもよい。
【００６８】
いくつかの実施例では、二次経路２４３が通信デバイス２０５内に存在すると決定することに応答して、無線ベアラ２２０、ＰＤＣＰ２２５、一次経路２３０、ＭＡＣエンティティ２３５、および／またはネットワークエンティティ２１０および／または通信デバイス２０５の１つ以上の他のコンポーネントは、修正された二次経路２４４に従って追加、削除、および／または修正されてもよい。
【００６９】
図３Ｂは、二次経路を使用して無線ベアラの使用を促進するためのシステム３００Ｂの実施例を図示する。通信デバイス２０５（例えば、ＵＥ）および／またはネットワークエンティティ２１０（例えば、ＵＥ）が、相互に通信し得る。ネットワークエンティティ２１０は、無線ベアラ２２０、ＰＤＣＰエンティティ２２５、一次ＲＬＣエンティティ２３０、および／または媒体アクセス制御（ＭＡＣ）エンティティ２３５（例えば、その１つ以上のものがサービスと関連付けられ得る）等の１つ以上のコンポーネントおよび／またはエンティティを備えてもよい。通信デバイス２０５は、一次ＲＬＣエンティティ２３０と関連付けられ得る（例えば、それによって促進される）一次経路２４２を備えてもよい（例えば、および／またはそれを介してネットワークエンティティ２１０に接続される）。
【００７０】
ネットワークエンティティ２１０は、構成メッセージ２１５を通信デバイス２０５に伝送してもよい。構成メッセージ２１５は、二次論理チャネル識別等の二次経路識別、一次論理チャネル識別等の一次経路識別、無線ベアラ識別、１つ以上の（例えば、他の）パラメータ、および／または１つ以上の命令を備えてもよい。
【００７１】
通信デバイス２０５は、１つ以上の識別、パラメータ、および／または命令を識別するために、構成メッセージ２１５を受信および分析してもよい。通信デバイス２０５は、（例えば、ネットワークエンティティ２１０へのおよび／または無線ベアラを有していない別のネットワークエンティティへの）二次経路を決定（例えば、その１つ以上の次元および／または側面を計算）するために、構成メッセージ２１５の二次論理チャネル識別を使用してもよい。いくつかの実施例では、通信デバイス２０５は、一次経路を決定（例えば、その１つ以上の次元および／または側面を計算）するために、構成メッセージ２１５の一次論理チャネル識別を使用してもよい。いくつかの実施例では、通信デバイス２０５は、無線ベアラを決定（例えば、その１つ以上の次元および／または側面を計算）するために、構成メッセージ２１５のベアラ識別を使用してもよい。
【００７２】
通信デバイス２０５は、（例えば、二次経路が通信デバイス２０５をネットワークエンティティ２１０に接続するように）二次論理チャネル識別に基づいて決定された二次経路が通信デバイス２０５内に存在する（例えば、および動作している）かどうかを決定してもよい。決定は、構成メッセージ２１５内に構成される１つ以上のパラメータに基づいて行われてもよい、および／または二次経路および／または二次経路と関連付けられる１つ以上のインジケータに関して通信デバイス２０５の１つ以上の部分を検索することによって行われてもよい。代替として、および／または加えて、決定は、通信デバイス２０５とネットワークエンティティ２１０との間にあると決定されたいくつかの経路に基づいてもよい。代替として、および／または加えて、決定は、無線ベアラ２２０等のネットワークエンティティ２１０の第１のコンポーネントとＭＡＣエンティティ２３５等のネットワークエンティティ２１０の第２のコンポーネントとの間にあると決定されたいくつかの経路に基づいてもよい。
【００７３】
通信デバイス２０５は、ベアラ識別に基づいて決定された無線ベアラが通信デバイス２０５に接続される、および／またはネットワークエンティティ２１０内で動作しているかどうかを決定してもよい。決定は、構成メッセージ２１５内に構成される１つ以上のパラメータに基づいて行われてもよい、および／または無線ベアラおよび／または無線ベアラと関連付けられる１つ以上のインジケータに関して通信デバイス２０５および／またはネットワークエンティティ２１０の１つ以上の部分を検索することによって行われてもよい。
【００７４】
通信デバイス２０５は、（例えば、二次経路２４３が通信デバイス２０５をネットワークエンティティ２１０に確実に接続するように）二次経路２４３が通信デバイス２０５内に存在すると決定してもよい。応答して、通信デバイス２０５内の二次経路２４３は、構成メッセージ２１５に基づいて修正されてもよい。例えば、ＰＤＣＰ２２５および／または無線ベアラ２２０をＭＡＣエンティティ２３５に接続する二次経路２４３は、修正された二次経路２４４を生成するために修正されてもよい。
【００７５】
通信デバイス２０５は、無線ベアラ２２０が通信デバイス２０５に接続される、および／またはネットワークエンティティ２１０内で動作していると決定してもよい。応答して、ネットワークエンティティ２１０内の無線ベアラ２２０は、構成メッセージ２１５に基づいて、および／またはそれと協調して修正されてもよい。例えば、ＰＤＣＰ２２５、一次ＲＬＣエンティティ２３０、二次ＲＬＣエンティティ２４０、および／またはＭＡＣエンティティ２３５に接続される（例えば、第１のタイプの）無線ベアラ２２０が、（例えば、第２のタイプの）修正された無線ベアラ２５０を生成するために修正されてもよい。
【００７６】
構成メッセージ２１５が無線ベアラ２２０のタイプを第１のベアラタイプから第２のベアラタイプに変更する命令を備えると決定することに応答して、通信デバイス２０５の１つ以上のコンポーネントが、第１のベアラタイプに対応する第１の構成から第２のベアラタイプに対応する第２の構成に修正されてもよい。
【００７７】
修正された二次経路２４４は、二次経路２４３のものと異なる１つ以上のパラメータを備えてもよい。１つ以上のパラメータは、構成メッセージ２１５に基づいてもよい。修正された無線ベアラ２５０は、無線ベアラ２２０のものと異なる１つ以上のパラメータを備えてもよい。１つ以上のパラメータは、構成メッセージ２１５に基づいてもよい。第１の構成は、第２の構成のものと異なる１つ以上のパラメータを備えてもよい。１つ以上のパラメータは、構成メッセージ２１５に基づいてもよい。
【００７８】
修正された二次経路２４４を生成するための二次経路２４３の修正は、修正された二次経路２４４と修正された無線ベアラ２５０との間の修正されたマッピングを生成するために、二次経路２４３と無線ベアラ２２０との間のマッピングを修正することを含んでもよい。二次ＲＬＣエンティティ２４０は、修正された二次経路２４４および／または修正された無線ベアラ２５０と関連して（例えば、それを促進するために）ネットワークエンティティ２１０内に修正された二次ＲＬＣエンティティ２４５を生成するために修正されてもよい。例えば、修正された二次ＲＬＣエンティティ２４５は、（例えば、既存の一次ＲＬＣエンティティ２３０に加えて）ＭＡＣエンティティ２３５にＰＤＣＰ２２５および／または修正された無線ベアラ２５０を接続してもよい。
【００７９】
無線ベアラ２２０は、第１のタイプの無線ベアラであり得る一方、修正された無線ベアラ２５０は、（例えば、第１のタイプの無線ベアラと異なる）第２のタイプの無線ベアラであり得る。第１のタイプおよび／または第２のタイプの無線ベアラは、マスタセル群（ＭＣＧ）ベアラ、二次セル群（ＳＣＧ）ベアラ、ＭＣＧ分割ベアラ、ＳＣＧ分割ベアラ、ＭＣＧ複製ベアラ、ＳＣＧ複製ベアラ、ＭＣＧアンカベアラ、および／またはＳＣＧアンカベアラを備える、および／またはそれに基づいてもよい。
【００８０】
いくつかの実施例では、二次経路２４３および／または無線ベアラ２２０が通信デバイス２０５内に存在すると決定することに応答して、ＰＤＣＰ２２５、一次経路２３０、ＭＡＣエンティティ２３５、および／またはネットワークエンティティ２１０および／または通信デバイス２０５の１つ以上の他のコンポーネントは、修正された二次経路２４４および／または修正された無線ベアラ２５０に従って追加、削除、および／または修正されてもよい。
【００８１】
図４Ａは、二次経路を使用して無線ベアラの使用を促進するためのシステム４００Ａの実施例を図示する。通信デバイス２０５（例えば、ＵＥ）および／またはネットワークエンティティ２１０（例えば、ＵＥ）が、相互に通信し得る。ネットワークエンティティ２１０は、無線ベアラ２２０、ＰＤＣＰエンティティ２２５、一次ＲＬＣエンティティ２３０、および／または媒体アクセス制御（ＭＡＣ）エンティティ２３５（例えば、その１つ以上のものがサービスと関連付けられ得る）等の１つ以上のコンポーネントおよび／またはエンティティを備えてもよい。通信デバイス２０５は、一次ＲＬＣエンティティ２３０と関連付けられ得る（例えば、それによって促進される）一次経路２４２を備えてもよい（例えば、および／またはそれを介してネットワークエンティティ２１０に接続される）。
【００８２】
ネットワークエンティティ２１０は、構成メッセージ２１５を通信デバイス２０５に伝送してもよい。構成メッセージ２１５は、二次論理チャネル識別等の二次経路識別、一次論理チャネル識別等の一次経路識別、無線ベアラ識別、１つ以上の（例えば、他の）パラメータ、および／または１つ以上の命令を備えてもよい。
【００８３】
通信デバイス２０５は、１つ以上の識別、パラメータ、および／または命令を識別するために、構成メッセージ２１５を受信および分析してもよい。通信デバイス２０５は、（例えば、ネットワークエンティティ２１０へのおよび／または無線ベアラを有していない別のネットワークエンティティへの）二次経路を決定（例えば、その１つ以上の次元および／または側面を計算）するために、構成メッセージ２１５の二次論理チャネル識別を使用してもよい。いくつかの実施例では、通信デバイス２０５は、一次経路を決定（例えば、その１つ以上の次元および／または側面を計算）するために、構成メッセージ２１５の一次論理チャネル識別を使用してもよい。
【００８４】
通信デバイス２０５は、（例えば、二次経路が通信デバイス２０５をネットワークエンティティ２１０に接続するように）二次論理チャネル識別に基づいて決定された二次経路が通信デバイス２０５内に存在する（例えば、および動作している）かどうかを決定してもよい。決定は、構成メッセージ２１５内に構成される１つ以上のパラメータに基づいて行われてもよい、および／または二次経路および／または二次経路と関連付けられる１つ以上のインジケータに関して通信デバイス２０５の１つ以上の部分を検索することによって行われてもよい。代替として、および／または加えて、決定は、通信デバイス２０５とネットワークエンティティ２１０との間にあると決定されたいくつかの経路に基づいてもよい。代替として、および／または加えて、決定は、無線ベアラ２２０等のネットワークエンティティ２１０の第１のコンポーネントとＭＡＣエンティティ２３５等のネットワークエンティティ２１０の第２のコンポーネントとの間にあると決定されたいくつかの経路に基づいてもよい。
【００８５】
通信デバイス２０５は、（例えば、二次経路２４３が通信デバイス２０５をネットワークエンティティ２１０に確実に接続するように）二次経路２４３が通信デバイス２０５内に存在すると決定してもよい。応答して、通信デバイス２０５内の二次経路２４３は、構成メッセージ２１５に基づいて削除されてもよい。例えば、構成メッセージ２１５は、二次経路２４３をリリースする命令および／または二次経路２４３にリンクされる１つ以上の無線ベアラを削除する命令を備えてもよい。通信デバイス２０５をネットワークエンティティ２１０に接続する二次経路２４３は、通信デバイス２０５から除去される、および／または通信デバイス２０５をネットワーク２１０に接続することを中止してもよい。代替として、および／または加えて、ＰＤＣＰ２２５および／または無線ベアラ２２０をＭＡＣエンティティ２３５に接続する二次ＲＬＣエンティティ２４０は、ネットワークエンティティ２１０から除去される、および／またはＰＤＣＰ２２５および／または無線ベアラ２２０をＭＡＣエンティティ２３５に接続することを中止してもよい。
【００８６】
いくつかの実施例では、二次経路２４３が通信デバイス２０５内に存在すると決定することに応答して、ＰＤＣＰ２２５、一次経路２３０、ＭＡＣエンティティ２３５、および／またはネットワークエンティティ２１０の１つ以上の他のコンポーネントは、二次経路２４３の削除に従って追加、削除、および／または修正されてもよい。
【００８７】
図４Ｂは、二次経路を使用して無線ベアラの使用を促進するためのシステム４００Ｂの実施例を図示する。通信デバイス２０５（例えば、ＵＥ）および／またはネットワークエンティティ２１０（例えば、ＵＥ）が、相互に通信し得る。ネットワークエンティティ２１０は、無線ベアラ２２０、ＰＤＣＰエンティティ２２５、一次ＲＬＣエンティティ２３０、および／または媒体アクセス制御（ＭＡＣ）エンティティ２３５（例えば、その１つ以上のものがサービスと関連付けられ得る）等の１つ以上のコンポーネントおよび／またはエンティティを備えてもよい。通信デバイス２０５は、一次ＲＬＣエンティティ２３０と関連付けられ得る（例えば、それによって促進される）一次経路２４２を備えてもよい（例えば、および／またはそれを介してネットワークエンティティ２１０に接続される）。
【００８８】
ネットワークエンティティ２１０は、構成メッセージ２１５を通信デバイス２０５に伝送してもよい。構成メッセージ２１５は、二次論理チャネル識別等の二次経路識別、一次論理チャネル識別等の一次経路識別、無線ベアラ識別、１つ以上の（例えば、他の）パラメータ、および／または１つ以上の命令を備えてもよい。
【００８９】
通信デバイス２０５は、１つ以上の識別、パラメータ、および／または命令を識別するために、構成メッセージ２１５を受信および分析してもよい。通信デバイス２０５は、（例えば、ネットワークエンティティ２１０へのおよび／または無線ベアラを有していない別のネットワークエンティティへの）二次経路を決定（例えば、その１つ以上の次元および／または側面を計算）するために、構成メッセージ２１５の二次論理チャネル識別を使用してもよい。いくつかの実施例では、通信デバイス２０５は、一次経路を決定（例えば、その１つ以上の次元および／または側面を計算）するために、構成メッセージ２１５の一次論理チャネル識別を使用してもよい。いくつかの実施例では、通信デバイス２０５は、無線ベアラを決定（例えば、その１つ以上の次元および／または側面を計算）するために、構成メッセージ２１５のベアラ識別を使用してもよい。
【００９０】
通信デバイス２０５は、（例えば、二次経路が通信デバイス２０５をネットワークエンティティ２１０に接続するように）二次論理チャネル識別に基づいて決定された二次経路が通信デバイス２０５内に存在する（例えば、および動作している）かどうかを決定してもよい。決定は、構成メッセージ２１５内に構成される１つ以上のパラメータに基づいて行われてもよい、および／または二次経路および／または二次経路と関連付けられる１つ以上のインジケータに関して通信デバイス２０５の１つ以上の部分を検索することによって行われてもよい。代替として、および／または加えて、決定は、通信デバイス２０５とネットワークエンティティ２１０との間にあると決定されたいくつかの経路に基づいてもよい。代替として、および／または加えて、決定は、無線ベアラ２２０等のネットワークエンティティ２１０の第１のコンポーネントとＭＡＣエンティティ２３５等のネットワークエンティティ２１０の第２のコンポーネントとの間にあると決定されたいくつかの経路に基づいてもよい。
【００９１】
通信デバイス２０５は、ベアラ識別に基づいて決定された無線ベアラが通信デバイス２０５に接続される、および／またはネットワークエンティティ２１０内で動作しているかどうかを決定してもよい。決定は、構成メッセージ２１５内に構成される１つ以上のパラメータに基づいて行われてもよい、および／または無線ベアラおよび／または無線ベアラと関連付けられる１つ以上のインジケータに関して通信デバイス２０５および／またはネットワークエンティティ２１０の１つ以上の部分を検索することによって行われてもよい。
【００９２】
通信デバイス２０５は、（例えば、二次経路２４３が通信デバイス２０５をネットワークエンティティ２１０に確実に接続するように）二次経路２４３が通信デバイス２０５内に存在すると決定してもよい。応答して、通信デバイス２０５内の二次経路２４３は、構成メッセージ２１５に基づいて削除されてもよい。例えば、構成メッセージ２１５は、二次経路２４３をリリースする命令および／または二次経路２４３にリンクされる１つ以上の無線ベアラを削除する命令を備えてもよい。通信デバイス２０５をネットワークエンティティ２１０に接続する二次経路２４３は、通信デバイス２０５から除去される、および／または通信デバイス２０５をネットワーク２１０に接続することを中止してもよい。代替として、および／または加えて、ＰＤＣＰ２２５および／または無線ベアラ２２０をＭＡＣエンティティ２３５に接続する二次ＲＬＣエンティティ２４０は、ネットワークエンティティ２１０から除去される、および／またはＰＤＣＰ２２５および／または無線ベアラ２２０をＭＡＣエンティティ２３５に接続することを中止してもよい。
【００９３】
通信デバイス２０５は、無線ベアラ２２０が通信デバイス２０５に接続される、および／またはネットワークエンティティ２１０内で動作していると決定してもよい。応答して、ネットワークエンティティ２１０内の無線ベアラ２２０は、構成メッセージ２１５に基づいて、および／またはそれと協調して削除されてもよい。
【００９４】
構成メッセージ２１５が無線ベアラ２２０を削除する命令を備えると決定することに応答して、通信デバイス２０５の１つ以上のコンポーネントは、無線ベアラ２２０に対応する第１の構成から第２のベアラタイプに対応する、および／またはいかなる無線ベアラにも対応しない第２の構成に削除および／または修正されてもよい。
【００９５】
いくつかの実施例では、二次経路２４３および／または無線ベアラ２２０が通信デバイス２０５内に存在すると決定することに応答して、ＰＤＣＰ２２５、一次経路２３０、ＭＡＣエンティティ２３５、および／またはネットワークエンティティ２１０および／または通信デバイス２０５の１つ以上の他のコンポーネントは、無線ベアラ２２０および／または二次経路２４３の削除に従って追加、削除、および／または修正されてもよい。
【００９６】
図５は、二次経路を使用して無線ベアラの使用を促進するためのシステム５００の実施例を図示する。ネットワークエンティティ５０５（例えば、ネットワーク内の第１の基地局）（例えば、ＳｇＮＢ）、第２のネットワークエンティティ５１０（例えば、ネットワーク内の第２の基地局）（例えば、ＭｅＮＢ）、および／または通信デバイス５１５（例えば、ＵＥ）が、相互に通信し得る。
【００９７】
第２のネットワークエンティティ５１０は、二次経路および／または無線ベアラを確立（例えば、および／または修正）するための要求メッセージ５２０をネットワークエンティティ５０５に伝送してもよい。要求メッセージ５２０は、二次経路および／または無線ベアラが確立（例えば、および／または修正）される通信デバイス５１５のインジケーション、無線ベアラについての情報、（例えば、データ転送）アドレス情報、および／または通信デバイス５１５に対応する能力協調情報を備えてもよい。要求メッセージ５２０（例えば、および／または第２のネットワークエンティティ５１０からネットワークエンティティ５０５に送信される１つ以上の他のメッセージ）は、１つ以上の（例えば、Ｅ−ＵＴＲＡＮ）無線アクセスベアラ（ＲＡＢ）に関するＸ２ダウンリンク（ＤＬ）トランスポートネットワーク層（ＴＮＬ）アドレスおよび／または第２のネットワークエンティティ５１０がサポートすることが可能なサービス品質（ＱｏＳ）レベル（例えば、最大）のインジケーションを備えてもよい。
【００９８】
ネットワークエンティティ５０５は、（例えば、要求メッセージ５２０に応答して）応答メッセージ５２５を第２のネットワークエンティティ５１０に伝送してもよい。応答メッセージ５２５は、要求メッセージ５２０の肯定応答および／または（例えば、既存の（例えば、ＭＣＧ）アンカベアラ内に新しい二次経路を確立する際に使用するための）無線リソース情報および／またはアドレス情報等の（例えば、通信デバイス５１５と関連付けられる）１つ以上のパラメータを備えてもよい。アドレス情報は、Ｘ２ダウンリンク（ＤＬ）トランスポートネットワーク層（ＴＮＬ）アドレスを備えてもよい。
【００９９】
第２のネットワークエンティティ５１０は、（例えば、応答メッセージ５２５に応答して）二次経路および／または無線ベアラに対応する構成メッセージ５３０を生成してもよい。構成メッセージ５３０は、無線リソース情報、アドレス情報等の応答メッセージ５２５のうちの少なくともいくつかを使用して生成されてもよい。構成メッセージ５３０は、二次論理チャネル識別等の二次経路識別、一次論理チャネル識別等の一次経路識別、ベアラ識別、１つ以上のパラメータ、および／または１つ以上の命令を備えてもよい。
【０１００】
第２のネットワークエンティティ５１０は、構成メッセージ５３０を通信デバイス５１５に伝送してもよい。通信デバイス５１５は、１つ以上の識別、パラメータ、および／または命令を識別するために、構成メッセージ５３０を分析してもよい。通信デバイス５１５は、二次経路を決定（例えば、その１つ以上の次元および／または側面を計算）するために、構成メッセージ５３０の二次論理チャネル識別を使用してもよい。いくつかの実施例では、通信デバイス５１５は、一次経路を決定（例えば、その１つ以上の次元および／または側面を計算）するために、構成メッセージ５３０の一次論理チャネル識別を使用してもよい。いくつかの実施例では、通信デバイス５１５は、無線ベアラを決定（例えば、その１つ以上の次元および／または側面を計算）するために、構成メッセージ５３０のベアラ識別を使用してもよい。
【０１０１】
通信デバイス５１５は、（例えば、二次経路が通信デバイス５１５をネットワークエンティティ５０５、第２のネットワークエンティティ５１０、および／または１つ以上の他のネットワークエンティティに接続するように）二次論理チャネルに基づいて決定された二次経路が通信デバイス５１５内に存在する（例えば、および動作している）かどうかを決定してもよい。決定は、（ｉ）構成メッセージ５３０内に構成される１つ以上のパラメータに基づいて、（ｉｉ）二次経路および／または二次経路と関連付けられる１つ以上のインジケータに関して通信デバイス５１５の１つ以上の部分を検索して、（ｉｉｉ）通信デバイス５１５とネットワークエンティティ５０５、第２のネットワークエンティティ５１０、および／または１つ以上の他のネットワークエンティティとの間にあると決定されたいくつかの経路に基づいて、および／または（ｉｖ）通信デバイス５１５および／または第２のネットワークエンティティ５１０の第１のコンポーネントと通信デバイス５１５および／または第２のネットワークエンティティ５１０の第２のコンポーネントとの間にあると決定されたいくつかの経路に基づいて行われてもよい。
【０１０２】
通信デバイス５１５は、ベアラ識別に基づいて決定された無線ベアラが通信デバイス５１５および／または第２のネットワークエンティティ５１０内に存在する（例えば、および動作している）かどうかを決定してもよい。決定は、構成メッセージ５３０内に構成される１つ以上のパラメータに基づいて行われてもよい、および／または無線ベアラおよび／または無線ベアラと関連付けられる１つ以上のインジケータに関して通信デバイス５１５および／または第２のネットワークエンティティ５１０の１つ以上の部分を検索することによって行われてもよい。
【０１０３】
二次経路および／または無線ベアラが通信デバイス５１５および／または第２のネットワークエンティティ５１０内に存在する（例えば、および動作している）と通信デバイス５１５が決定することに応答して、通信デバイス５１５および／または第２のネットワークエンティティ５１０内の無線ベアラおよび／または二次経路は、構成メッセージ５３０に基づいて修正されてもよい。
【０１０４】
二次経路および／または無線ベアラが通信デバイス５１５および／または第２のネットワークエンティティ５１０内に存在しない（例えば、および動作していない）と通信デバイス５１５が決定することに応答して、通信デバイス５１５内の無線ベアラおよび／または二次経路は、構成メッセージ５３０に基づいて、通信デバイス５１５および／または第２のネットワークエンティティ５１０内に確立（例えば、生成）されてもよい。
【０１０５】
通信デバイス５１５は、二次経路および／または無線ベアラが存在すると決定されたかどうかおよび／またはそれと関連してとられる１つ以上のアクションに対応する構成ステータスメッセージ５３５を生成してもよい。構成ステータスメッセージ５３５は、無線リソース情報、アドレス情報等の応答メッセージ５２５のうちの少なくともいくつかを使用して生成されてもよい。構成ステータスメッセージ５３５は、二次経路、無線ベアラ、および／または構成メッセージ５３０の命令のステータスを備えてもよい。例えば、ステータスは、二次経路および／または無線ベアラを確立および／または修正する際の通信デバイス５１５の完全な成功、部分的な成功、および／または失敗を示してもよい。
【０１０６】
通信デバイス５１５は、構成ステータスメッセージ５３５を第２のネットワークエンティティ５１０に伝送してもよい。第２のネットワークエンティティ５１０は、二次経路、無線ベアラ、および／または構成メッセージ５３０の命令のステータスを決定するために、構成ステータスメッセージ５３５を分析してもよい。
【０１０７】
ステータスが第１のステータス（例えば、完全な成功）に対応すると決定することに応答して、第２のネットワークエンティティ５１０（例えば、および／または１つ以上の他のネットワークエンティティ）は、第１の動作（例えば、二次経路の存在に基づいて、通信デバイス５１５との併用および／または相互作用を促進すること）を実施してもよい。ステータスが第２のステータス（例えば、部分的な成功）に対応すると決定することに応答して、第２のネットワークエンティティ５１０（例えば、および／または１つ以上の他のネットワークエンティティ）は、第２の動作（例えば、二次経路の変動の存在に基づいて、通信デバイス５１５との併用および／または相互作用を促進すること）を実施してもよい。ステータスが第３のステータス（例えば、失敗）に対応すると決定することに応答して、第２のネットワークエンティティ５１０（例えば、および／または１つ以上の他のネットワークエンティティ）は、第３の動作（例えば、二次経路の欠如に基づいて、通信デバイス５１５との併用および／または相互作用を促進すること）を実施してもよい。
【０１０８】
第２のネットワークエンティティ５１０は、構成ステータスメッセージ５３５および／または二次経路および／または無線ベアラが存在すると決定されたかどうかおよび／またはそれと関連してとられる１つ以上のアクションに対応する再構成完了メッセージ５４０を生成してもよい。例えば、再構成完了メッセージ５４０は、構成メッセージ５３０、要求メッセージ５２０、および／または応答メッセージ５２５による通信デバイス５１５の再構成が正常に実施されたかどうかを示してもよい。
【０１０９】
第２のネットワークエンティティ５１０は、再構成完了メッセージ５４０をネットワークエンティティ５０５に伝送してもよい。ランダムアクセスプロシージャ５４５および／または同期が、ネットワークエンティティ５０５（例えば、その一次ＳＣｅｌｌ）と通信デバイス５１５との間で実施されてもよい。通信デバイス５１５は、（例えば、構成メッセージ５３０の実装からもたらされる）修正された構成を使用してアップリンク伝送を実施してもよい。
【０１１０】
第２のネットワークエンティティ５１０は、ステータス伝達情報５５０をネットワークエンティティ５０５に伝送してもよい、および／または転送情報５５５をネットワークエンティティ５０５に伝送してもよい。転送情報５５５は、通信デバイス５１５の無線ベアラに対応するベアラコンテキストを備えてもよい。いくつかの実施例では、経路更新が、ネットワークエンティティ５０５、第２のネットワークエンティティ５１０、通信デバイス５１５、および／または１つ以上の他のネットワークエンティティを横断して実施されてもよい。
【０１１１】
図６Ａは、二次経路を使用して通信デバイス（例えば、ＵＥ）によって使用され得る無線ベアラ６０５Ａの制御プレーンを伴うシステム６００Ａの実施例を図示する。無線ベアラ６０５Ａの表現は、第１の通信規格と関連付けられる無線リソース制御（ＲＲＣ）構成に対応する第１の論理チャネル６１０Ａの第１の表現と、第２の通信規格と関連付けられるＲＲＣ構成に対応する第２の論理チャネル６１５Ａの第２の表現とを備えてもよい。例えば、第１の論理チャネル６１０Ａは、ロングタームエボリューション（ＬＴＥ）ＲＲＣ構成に対応してもよい、および／または第２の論理チャネル６１５Ａは、５Ｇ  Ｎｅｗ  Ｒａｄｉｏ（ＮＲ）ＲＲＣ構成に対応してもよい。
【０１１２】
第１の論理チャネル６１０Ａは、（例えば、デジタル）無線ベアラ構成６２０Ａを備えてもよく、これは、（例えば、ＥＰＣ）ベアラ識別、（例えば、デジタル）無線ベアラ識別、および／またはＰＤＣＰ構成情報を備えてもよい。第１の論理チャネル６１０Ａは、代替として、および／または加えて、第１の論理チャネル構成６２５Ａを備えてもよく、これは、（例えば、第１の論理チャネル６１０Ａの）第１の論理チャネル識別、アンカ（例えば、デジタル）無線ベアラ識別、ＲＬＣ構成情報、および／または第１の論理チャネル構成情報を備えてもよい。とりわけ、無線ベアラ構成６２０Ａは、第１の論理チャネル構成６２５Ａと別個であってもよい。しかしながら、無線ベアラ構成６２０Ａのうちの少なくともいくつかは、（例えば、両方の構成において構成され得る）（例えば、デジタル）無線ベアラ識別に基づいて、第１の論理チャネル構成６２５Ａと関連付けられてもよい（例えば、それにリンクされてもよい）。
【０１１３】
第２の論理チャネル６１５Ａは、第２の論理チャネル構成６３０Ａを備えてもよく、これは、（例えば、第２の論理チャネル６１５Ａの）第２の論理チャネル識別、アンカ（例えば、デジタル）無線ベアラ識別、ＲＬＣ構成情報、および／または第２の論理チャネル構成情報を備えてもよい。いくつかの実施例では、第２の論理チャネル構成６３０Ａのうちの少なくともいくつかは、第１の論理チャネル構成６２５Ａのうちの少なくともいくつかと異なる。いくつかの実施例では、第２の論理チャネル構成６３０Ａのうちの少なくともいくつかは、第１の論理チャネル構成６２５Ａのうちの少なくともいくつかと同一である。いくつかの実施例では、第２の論理チャネル６１５Ａは、無線ベアラ構成を備えていない場合がある。いくつかの実施例では、第２の論理チャネル６１５Ａは、第２の無線ベアラ構成を備えてもよい。いくつかの実施例では、第２の無線ベアラ構成は、無線ベアラ構成６２０Ａと同一であってもよい。いくつかの実施例では、第２の無線ベアラ構成は、無線ベアラ構成６２０Ａと異なってもよい。
【０１１４】
図６Ｂは、二次経路を使用して通信デバイス（例えば、ＵＥ）によって使用され得る無線ベアラ６０５Ａのユーザプレーンを伴うシステム６００Ｂの実施例を図示する。無線ベアラ６０５Ｂの表現は、第１の通信規格と関連付けられるＲＲＣ構成に対応する第１の論理チャネル６１０Ｂの第１の表現と、第２の通信規格と関連付けられるＲＲＣ構成に対応する第２の論理チャネル６１５Ｂの第２の表現とを備えてもよい。例えば、第１の論理チャネル６１０Ｂは、ＬＴＥ  ＲＲＣ構成に対応してもよい、および／または第２の論理チャネル６１５Ｂは、ＮＲ  ＲＲＣ構成に対応してもよい。
【０１１５】
第１の論理チャネル６１０Ｂは、（例えば、デジタル）無線ベアラ構成６２０Ｂを備えてもよく、これは、（例えば、ＰＤＣＰエンティティにマッピングされ得る）ＰＤＣＰ構成情報を備えてもよい。第１の論理チャネル６１０Ｂは、代替として、および／または加えて、第１の論理チャネル構成６２５Ｂを備えてもよく、これは、ＲＬＣ構成情報を備えてもよい。ＲＬＣ構成情報が、２つ以上のＲＬＣエンティティにマッピングされ得る構成を備えるとき、非肯定応答モード（ＵＭ）が、実装されてもよい。ＲＬＣ構成情報が、（例えば、単に）１つのＲＬＣエンティティにマッピングされ得る構成を備えるとき、肯定応答モード（ＡＭ）が、実装されてもよい。とりわけ、無線ベアラ構成６２０Ｂは、第１の論理チャネル構成６２５Ｂと別個であってもよい。
【０１１６】
第２の論理チャネル６１５Ｂは、第２の論理チャネル構成６３０Ｂを備えてもよく、これは、ＲＬＣ構成情報を備えてもよい。ＲＬＣ構成情報が、２つ以上のＲＬＣエンティティにマッピングされ得る構成を備えるとき、ＵＭが、実装されてもよい。ＲＬＣ構成情報が、（例えば、単に）１つのＲＬＣエンティティにマッピングされ得る構成を備えるとき、ＡＭが、実装されてもよい。いくつかの実施例では、第２の論理チャネル構成６３０Ｂのうちの少なくともいくつかは、第１の論理チャネル構成６２５Ｂのうちの少なくともいくつかと異なる。いくつかの実施例では、第２の論理チャネル構成６３０Ｂのうちの少なくともいくつかは、第１の論理チャネル構成６２５Ｂのうちの少なくともいくつかと同一である。
【０１１７】
図７は、本明細書に提供される技法の少なくとも一部を利用し得る基地局７５０（例えば、ネットワークエンティティ）の概略アーキテクチャ図７００を提示する。そのような基地局７５０は、他の開示される技法、シナリオ等のうちの１つ以上のもののうちの少なくともいくつか等のサービスを提供するために、単独で、または他の基地局、ノード、エンドユニット、および／またはサーバと併せて、構成および／または能力において広く変動し得る。例えば、基地局７５０は、１つ以上のユーザ機器（ＵＥ）を、符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等の（例えば、１つ以上の他の基地局に接続される、および／またはそれを含み得る）（例えば、無線および／または有線）ネットワークに接続してもよい。ネットワークは、ユニバーサル地上無線アクセス（ＵＴＲＡ）、ＣＤＭＡ２０００、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、進化型ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ等の無線技術を実装してもよい。基地局７５０および／またはネットワークは、ロングタームエボリューション（ＬＴＥ）等の規格を使用して通信してもよい。
【０１１８】
基地局７５０は、命令を処理する１つ以上の（例えば、ハードウェア）プロセッサ７１０を備えてもよい。１つ以上のプロセッサ７１０は、随意に、複数のコア、数学コプロセッサまたは統合グラフィック処理ユニット（ＧＰＵ）等の１つ以上のコプロセッサ、および／またはローカルキャッシュメモリの１つ以上の層を含んでもよい。基地局７５０は、オペレーティングシステム７０４、１つ以上の基地局アプリケーション７０６、および／またはデータベース７０８および／またはファイルシステム等の種々の形態のデータ等の種々の形態のアプリケーションを記憶するメモリ７０２を備えてもよい。基地局７５０は、ローカルエリアネットワークおよび／または広域ネットワークに接続可能な有線および／または無線ネットワークアダプタ７１４、ハードディスクドライブ、ソリッドステート記憶デバイス（ＳＳＤ）、フラッシュメモリデバイス、および／または磁気および／または光学ディスクリーダ等の１つ以上の記憶コンポーネント７１６、および／または他の周辺コンポーネント等の種々の周辺コンポーネントを備えてもよい。
【０１１９】
基地局７５０は、シリアルまたはパラレルＡＴアタッチメント（ＡＴＡ）バスプロトコル、ユニフォームシリアルバス（ＵＳＢ）プロトコル、および／またはスモールコンピュータシステムインターフェース（ＳＣＩ）バスプロトコルの変形等の種々のバス技術を使用して、プロセッサ７１０、メモリ７０２、および／または種々の周辺機器を相互接続する１つ以上の通信バス７１２を特徴とするメインボードを備えてもよい。マルチバスシナリオでは、通信バス７１２が、基地局７５０を少なくとも１つの他のサーバと接続し得る。随意に、基地局７５０とともに含まれ得る他のコンポーネント（但し、図７の概略図７００に示されない）は、ディスプレイ、グラフィック処理ユニット（ＧＰＵ）等のディスプレイアダプタ、キーボードおよび／またはマウス等の入力周辺機器、および／または基地局７５０を準備完了状態に起動することを促進する基本入力／出力システム（ＢＩＯＳ）ルーチンを記憶し得るフラッシュメモリデバイス等を含む。
【０１２０】
基地局７５０は、デスクトップまたはタワー等の種々の物理的エンクロージャ内で動作してもよい、および／または「オールインワン」デバイスとしてディスプレイと統合されてもよい。基地局７５０は、水平に、および／またはキャビネットまたはラック内に搭載されてもよい、および／または単純に、コンポーネントの相互接続されたセットを備えてもよい。基地局７５０は、他のコンポーネントのための電力を供給および／または調整する専用および／または共有の電力供給源７１８を備えてもよい。基地局７５０は、別の基地局および／またはサーバおよび／または他のデバイスに電力を提供する、および／またはそれから電力を受け取ってもよい。基地局７５０は、温度、湿度、および／または空気流等の気候特性を調整する共有および／または専用の気候制御ユニット７２０を備えてもよい。多くのそのような基地局７５０は、本明細書に提示される技法の少なくとも一部を利用するように構成および／または適合されてもよい。
【０１２１】
図８は、その上で本明細書に提示される技法の少なくとも一部が実装され得る、ユーザ機器８５０（例えば、通信デバイス）の概略アーキテクチャ図８００を提示する。そのようなＵＥ８５０は、種々の機能性をユーザに提供するために、構成および／または能力において広く変動し得る。ＵＥ８５０は、モバイル電話（例えば、スマートフォン）、デスクトップまたはタワーワークステーション、ディスプレイ８０８と統合される「オールインワン」デバイス、ラップトップ、タブレット、コンバーチブルタブレット、またはパームトップデバイス、ヘッドセット、眼鏡、イヤピース、および／または腕時計において搭載可能な、および／または衣類と統合される等のウェアラブルデバイス、および／またはテーブル表面等の家具および／または車両または住宅等の別のデバイスのコンポーネント等の種々の形状因子において提供されてもよい。ＵＥ８５０は、電話、ワークステーション、キオスク、メディアプレーヤ、ゲーミングデバイス、および／または電化製品等の種々の役割においてユーザにサービス提供し得る。
【０１２２】
ＵＥ８５０は、命令を処理する１つ以上の（例えば、ハードウェア）プロセッサ８１０を備えてもよい。１つ以上のプロセッサ８１０は、随意に、複数のコア、数学的コプロセッサまたは統合グラフィック処理ユニット（ＧＰＵ）等の１つ以上のコプロセッサ、および／またはローカルキャッシュメモリの１つ以上の層を含んでもよい。ＵＥ８５０は、オペレーティングシステム８０３、文書アプリケーション、メディアアプリケーション、ファイルおよび／またはデータアクセスアプリケーション、ウェブブラウザおよび／または電子メールクライアント等の通信アプリケーション、ユーティリティ、および／またはゲーム等の１つ以上のユーザアプリケーション８０２、および／または種々の周辺機器のためのドライバ等の種々の形態のアプリケーションを記憶するメモリ８０１を備えてもよい。ＵＥ８５０は、ローカルエリアネットワークおよび／または広域ネットワークに接続可能な有線および／または無線ネットワークアダプタ８０６、ディスプレイアダプタ（随意に、グラフィック処理ユニット（ＧＰＵ）を含む）と結合されるディスプレイ８０８、スピーカと結合される音声アダプタ、および／またはプリンタ等の１つ以上の出力コンポーネント、キーボード８１１、マウス、マイクロホン、カメラ、および／またはディスプレイ８０８のタッチ感応コンポーネント等のユーザから入力を受信するための入力デバイス、および／またはＵＥ８５０の場所、速度、および／または加速度を検出するＧＰＳ受信機８１９、コンパス、加速度計、および／またはＵＥ８５０の物理的配向を検出するジャイロスコープ等の環境センサ等の種々の周辺コンポーネントを備えてもよい。随意に、ＵＥ８５０とともに含まれ得る他のコンポーネント（但し、図８の概略アーキテクチャ図８００に示されない）は、ハードディスクドライブ、ソリッドステート記憶デバイス（ＳＳＤ）、フラッシュメモリデバイス、および／または磁気および／または光学ディスクリーダ等の１つ以上の記憶コンポーネント、ＵＥ８５０を準備完了状態に起動することを促進する基本入力／出力システム（ＢＩＯＳ）ルーチンを記憶し得るフラッシュメモリデバイス、および／または温度、湿度、および空気流等の気候性質を調整する気候制御ユニット等を含む。
【０１２３】
ＵＥ８５０は、シリアルまたはパラレルＡＴアタッチメント（ＡＴＡ）バスプロトコル、ユニフォームシリアルバス（ＵＳＢ）プロトコル、および／またはスモールコンピュータシステムインターフェース（ＳＣＩ）バスプロトコルの変形等の種々のバス技術を使用して、プロセッサ８１０、メモリ８０１、および／または種々の周辺機器を相互接続する１つ以上の通信バス８１２を特徴とするメインボードを備えてもよい。ＵＥ８５０は、他のコンポーネントのための電力を供給および／または調整する専用および／または共有の電力供給源８１８および／またはＵＥ８５０が電力供給源８１８を介して電源に接続されていない間に使用するための電力を貯蔵するバッテリ８０４を備えてもよい。ＵＥ８５０は、他のクライアントデバイスに電力を提供する、および／またはそれから電力を受け取ってもよい。
【０１２４】
図９は、例示的な非一過性コンピュータ可読媒体９０２を伴うシナリオ９００の図示である。非一過性コンピュータ可読媒体９０２は、プロセッサ９１６によって実行されると、本明細書の提供のうちの少なくともいくつかの（例えば、プロセッサ９１６による）実施を引き起こす、プロセッサ実行可能命令９１２を備えてもよい。非一過性コンピュータ可読媒体９０２は、メモリ半導体（例えば、スタティックランダムアクセスメモリ（ＳＲＡＭ）、ダイナミックランダムアクセスメモリ（ＤＲＡＭ）、および／またはシンクロナスダイナミックランダムアクセスメモリ（ＳＤＲＡＭ）技術を利用する半導体）、ハードディスクドライブのプラッタ、フラッシュメモリデバイス、または磁気または光学ディスク（コンパクトディスク（ＣＤ）、デジタル多用途ディスク（ＤＶＤ）、および／またはフロッピディスク等）を備えてもよい。例示的な非一過性コンピュータ可読媒体９０２は、デバイス９０８のリーダ９１０（例えば、ハードディスクドライブの読取ヘッドまたはソリッドステート記憶デバイス上で起動される読取動作）によって読取９０６を受けると、プロセッサ実行可能命令９１２を表すコンピュータ可読データ９０４を記憶する。いくつかの実施形態では、プロセッサ実行可能命令９１２は、実行されると、例えば、図１Ａの例示的方法１００Ａ、図１Ｂの例示的方法１００Ｂ、および／または図１Ｃの例示的方法１００Ｃのうちの少なくともいくつか等の動作の実施を引き起こす。いくつかの実施形態では、プロセッサ実行可能命令９１２は、例えば、図２Ａの例示的システム２００Ａ、図２Ｂの例示的システム２００Ｂ、図３Ａの例示的システム３００Ａ、図３Ｂの例示的システム３００Ｂ、図４Ａの例示的システム４００Ａ、図４Ｂの例示的システム４００Ｂ、図５の例示的システム５００、図６Ａの例示的システム６００Ａ、および／または図６Ｂの例示的システム６００Ｂのうちの少なくともいくつか等のシステムおよび／またはシナリオの実装を引き起こすように構成される。
【０１２５】
本願で使用されるように、「コンポーネント」、「モジュール」、「システム」、「インターフェース」、および／または同等物は、概して、ハードウェア、ハードウェアおよびソフトウェアの組み合わせ、ソフトウェア、または実行中のソフトウェアのいずれかであるコンピュータ関連エンティティを指すように意図される。例えば、コンポーネントは、そうであることに限定されないが、プロセッサ上で起動するプロセス、プロセッサ、オブジェクト、実行ファイル、実行スレッド、プログラム、および／またはコンピュータであってもよい。例証として、コントローラ上で起動するアプリケーションおよびコントローラの両方が、コンポーネントであり得る。１つ以上のコンポーネントが、プロセスおよび／または実行スレッド内に常駐してもよく、コンポーネントは、１つのコンピュータ上でローカライズされる、および／または２つ以上のコンピュータ（例えば、ノード）間に分散されてもよい。
【０１２６】
別様に規定されない限り、「第１」、「第２」、および／または同等物は、時間的側面、空間的側面、順序付け等を示唆するように意図されない。むしろ、そのような用語は、単に、特徴、要素、アイテム等に関する識別子、名称等として使用される。例えば、第１のオブジェクトおよび第２のオブジェクトは、概して、オブジェクトＡおよびオブジェクトＢ、または、２つの異なるまたは２つの同じオブジェクト、または、同一のオブジェクトに対応する。
【０１２７】
さらに、「実施例」は、必ずしも有利であるとは限らないが、事例、例証等としての役割を果たすことを意味するように本明細書で使用される。本明細書で使用されるように、「または」は、排他的な「または」ではなく、包括的な「または」を意味するように意図される。加えて、本願で使用されるような「ａ」および「ａｎ」は、概して、別様に記載されない、または単数形を対象とする文脈から明白ではない限り、「１つ以上の」を意味するように解釈される。また、ＡおよびＢのうちの少なくとも１つおよび／または同等物は、概して、ＡまたはＢ、または、ＡおよびＢの両方を意味する。さらに、「〜を含む（ｉｎｃｌｕｄｅｓ）」、「〜を有する（ｈａｖｉｎｇ）」、「〜を有する（ｈａｓ）」、「〜を伴う（ｗｉｔｈ）」、および／またはそれらの変形が詳細な説明または請求項のいずれかにおいて使用される限り、そのような用語は、用語「〜を備える（ｃｏｍｐｒｉｓｉｎｇ）」と類似する様式で包括的であるように意図される。
【０１２８】
本主題が、構造的特徴および／または方法論的行為に特有な言語において説明されたが、添付される請求項において定義される主題は、必ずしも、上記に説明される具体的特徴または行為に限定されないことを理解されたい。むしろ、上記に説明される具体的特徴および行為は、請求項のうちの少なくともいくつかを実装する例示的形態として開示される。
【０１２９】
さらに、請求される主題は、開示される主題を実装するために、ソフトウェア、ファームウェア、ハードウェア、またはコンピュータ（例えば、ノード）を制御するためのそれらの任意の組み合わせを生産するための標準プログラミングおよび／またはエンジニアリング技法を使用する方法、装置、または製造品として実装され得る。本明細書で使用されるような用語「製造品」は、任意のコンピュータ可読デバイス、キャリア、または媒体からアクセス可能なコンピュータプログラムを包含するように意図される。当然ながら、多くの修正が、請求される主題の範囲または精神から逸脱することなく本構成に行われてもよい。
【０１３０】
実施形態および／または実施例の種々の動作が、本明細書に提供される。動作のうちのいくつかまたは全てが本明細書に説明される順序は、これらの動作が必然的に順序依存性であることを示唆するように解釈されるべきではない。代替順序付けが、本説明の利益を有する当業者によって理解されるであろう。さらに、全ての動作が、本明細書に提供される各実施形態および／または実施例に必然的に存在するわけではないことを理解されたい。また、全ての動作が、いくつかの実施形態および／または実施例において必要であるわけではないことを理解されたい。
【０１３１】
また、本開示は、１つ以上の実装に関して示され、説明されたが、同等の改変および修正が、本明細書および付属の図面の読取および理解に基づいて当業者に想起されるであろう。本開示は、全てのそのような修正および改変を含み、以下の請求項の範囲によってのみ限定される。特に上記に説明されるコンポーネント（例えば、要素、リソース等）によって実施される種々の機能に関して、そのようなコンポーネントを説明するために使用される用語は、別様に示されない限り、開示される構造と構造的に同等ではないが、（例えば、機能的に同等である）説明されるコンポーネントの規定された機能を実施する任意のコンポーネントに対応するように意図される。加えて、本開示の特定の特徴が、いくつかの実装のうちの１つのみに関して開示されている場合があるが、そのような特徴は、任意の所与または特定の用途のために所望され、有利であり得るように、他の実装の１つ以上の他の特徴と組み合わせられてもよい。
【図１Ａ】
2020509629.tif 000003
【図１Ｂ】
2020509629.tif 000004
【図１Ｃ】
2020509629.tif 000005
【図２Ａ】
2020509629.tif 000006
【図２Ｂ】
2020509629.tif 000007
【図３Ａ】
2020509629.tif 000008
【図３Ｂ】
2020509629.tif 000009
【図４Ａ】
2020509629.tif 000010
【図４Ｂ】
2020509629.tif 000011
【図５】
2020509629.tif 000012
【図６Ａ】
2020509629.tif 000013
【図６Ｂ】
2020509629.tif 000014
【図７】
2020509629.tif 000015
【図８】
2020509629.tif 000016
【図９】
2020509629.tif 000017
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
方法であって、
通信デバイスによって、ネットワークエンティティから、構成メッセージを受信することであって、前記通信デバイスは、一次経路を介して前記ネットワークエンティティに接続されている、ことと、
前記通信デバイスによって、前記構成メッセージから、二次経路を識別するように構成されている二次論理チャネル識別を識別することと、
前記通信デバイスによって、前記構成メッセージに基づいて、前記二次経路を構成することと、
前記通信デバイスによって、前記構成に応答して、応答メッセージを前記ネットワークエンティティに伝送することと
を含む、方法。
【請求項２】
前記二次経路を構成することはさらに、
前記通信デバイスによって、前記二次経路が存在するかどうかを決定することと、
前記通信デバイスによって、前記二次経路が存在すると決定することに応答して、前記構成メッセージに基づいて、前記二次経路をリリースすることと
を含む、請求項１に記載の方法。
【請求項３】
前記二次経路をリリースすることはさらに、前記通信デバイスによって、パケットデータコンバージェンスプロトコルエンティティに接続された前記二次経路に対応する第２の無線リンク制御エンティティを除去することを含む、請求項２に記載の方法。
【請求項４】
前記二次経路を構成することはさらに、
前記通信デバイスによって、前記二次経路が存在するかどうかを決定することと、
前記通信デバイスによって、前記二次経路が存在しないと決定することに応答して、前記構成メッセージに基づいて、前記二次経路を確立することと
を含む、請求項１に記載の方法。
【請求項５】
前記通信デバイスによって、前記二次経路と無線ベアラとの間のマッピングを生成することをさらに含む、請求項４に記載の方法。
【請求項６】
前記通信デバイスによって、前記構成メッセージから、前記無線ベアラを識別するために無線ベアラ識別を識別することをさらに含む、請求項５に記載の方法。
【請求項７】
前記二次経路を構成することはさらに、
前記通信デバイスによって、前記二次経路が存在するかどうかを決定することと、
前記通信デバイスによって、前記二次経路が存在すると決定することに応答して、前記構成メッセージに基づいて、前記二次経路を修正することと
を含む、請求項１に記載の方法。
【請求項８】
プロセッサと、メモリとを備える無線通信装置であって、前記プロセッサは、前記メモリからコードを読み取り、請求項１に記載の方法を実施するように構成されている、無線通信装置。
【請求項９】
プロセッサと、メモリとを備える無線通信装置であって、前記プロセッサは、前記メモリからコードを読み取り、請求項２に記載の方法を実施するように構成されている、無線通信装置。
【請求項１０】
プロセッサと、メモリとを備える無線通信装置であって、前記プロセッサは、前記メモリからコードを読み取り、請求項３に記載の方法を実施するように構成されている、無線通信装置。
【請求項１１】
プロセッサと、メモリとを備える無線通信装置であって、前記プロセッサは、前記メモリからコードを読み取り、請求項４に記載の方法を実施するように構成されている、無線通信装置。
【請求項１２】
プロセッサと、メモリとを備える無線通信装置であって、前記プロセッサは、前記メモリからコードを読み取り、請求項５に記載の方法を実施するように構成されている、無線通信装置。
【請求項１３】
プロセッサと、メモリとを備える無線通信装置であって、前記プロセッサは、前記メモリからコードを読み取り、請求項６に記載の方法を実施するように構成されている、無線通信装置。
【請求項１４】
プロセッサと、メモリとを備える無線通信装置であって、前記プロセッサは、前記メモリからコードを読み取り、請求項７に記載の方法を実施するように構成されている、無線通信装置。
【手続補正２】
【補正対象書類名】明細書
【補正対象項目名】０００１
【補正方法】変更
【補正の内容】
【０００１】
（関連出願の相互参照）
本願は、２０１７年６月１６日に出願されたＰＣＴ特許出願ＰＣＴ／ＣＮ２０１７／０８８７２９の継続出願としての３５  Ｕ．Ｓ．Ｃ．§１２０のもとで優先権の利益を主張するものであり、これは、参照によりその全体が本明細書中に援用される。
ユーザ機器（ＵＥ）と基地局（ＢＳ）との間、２つのＵＥ間、および／または２つのＢＳ間等のノード（例えば、通信デバイス、ネットワークエンティティ等）間の通信リンクが、１つ以上の無線ベアラを使用して促進され得る。例えば、ＢＳは、１つ以上の信号を生成する、および／または１つ以上の信号をＵＥに伝送するために、無線ベアラを使用し得る。ＵＥは、１つ以上の信号を受信および／または処理する、および／またはＢＳから受信された１つ以上の信号を処理するために、無線ベアラを使用し得る。
【手続補正３】
【補正対象書類名】明細書
【補正対象項目名】０００４
【補正方法】変更
【補正の内容】
【０００４】
実施例では、無線リソース情報およびアドレス情報は、少なくとも１つの二次経路を確立する要求に基づいて決定されてもよい。構成メッセージが、無線リソース情報およびアドレス情報に基づいて生成されてもよい。構成メッセージは、少なくとも１つの二次経路識別を備えてもよい。構成メッセージは、通信デバイスに伝送されてもよい。
本明細書は、例えば、以下を提供する。
（項目１）
方法であって、
ネットワークエンティティから構成メッセージを受信することと、
上記構成メッセージに基づいて、少なくとも１つの二次経路を決定することと、
上記構成メッセージに基づいて、上記少なくとも１つの二次経路を構成することと、
応答メッセージを上記ネットワークエンティティに送信することと
を含む、方法。
（項目２）
上記少なくとも１つの二次経路を決定することは、
上記構成メッセージの第１の部分または上記構成メッセージの第２の部分が二次経路情報を備えるかどうかを決定することと、
上記第１の部分が上記二次経路情報を備えると決定することに応答して、上記第１の部分を分析し、上記少なくとも１つの二次経路に対応する少なくとも１つの二次経路識別を識別することと
を含む、項目１に記載の方法。
（項目３）
上記第１の部分は、上記ネットワークエンティティに基づいて決定される第１のセル群の第１のリソースに関する第１の構成を備え、
上記第２の部分は、第２のネットワークエンティティに基づいて決定される第２のセル群の第２のリソースに関する第２の構成を備える、
項目２に記載の方法。
（項目４）
上記少なくとも１つの二次経路を決定することは、上記構成メッセージ内の上記少なくとも１つの二次経路に対応する少なくとも１つの二次経路識別を識別することを含む、項目１に記載の方法。
（項目５）
上記少なくとも１つの二次経路識別は、少なくとも１つの二次論理チャネル識別を備える、項目４に記載の方法。
（項目６）
上記少なくとも１つの二次経路を構成することは、上記少なくとも１つの二次経路が存在するかどうかを決定することを含む、項目１に記載の方法。
（項目７）
上記少なくとも１つの二次経路が存在すると決定することに応答して、上記構成メッセージに基づいて、上記少なくとも１つの二次経路を修正することを含む、項目６に記載の方法。
（項目８）
上記少なくとも１つの二次経路が存在すると決定することに応答して、上記構成メッセージに基づいて、上記少なくとも１つの二次経路をリリースすることを含む、項目６に記載の方法。
（項目９）
上記少なくとも１つの二次経路が存在しないと決定することに応答して、上記構成メッセージに基づいて、上記ネットワークエンティティまたは第２のネットワークエンティティのうちの少なくとも１つへの上記少なくとも１つの二次経路を確立することを含む、項目６に記載の方法。
（項目１０）
上記ネットワークエンティティは、上記構成メッセージ内に構成される無線ベアラ識別に対応する無線ベアラを備える、項目９に記載の方法。
（項目１１）
上記ネットワークエンティティは、上記構成メッセージ内に構成される無線ベアラ識別に対応する無線ベアラのパケットデータコンバージェンスプロトコル構成を備える、項目９に記載の方法。
（項目１２）
上記構成メッセージ内に構成される一次論理チャネル識別に基づいて、一次経路を決定することを含む、項目１に記載の方法。
（項目１３）
上記少なくとも１つの二次経路を修正することは、上記少なくとも１つの二次経路と上記ネットワークエンティティ内に構成される無線ベアラとの間のマッピングを修正することを含む、項目７に記載の方法。
（項目１４）
上記構成メッセージ内に構成される無線ベアラ識別に基づいて、上記無線ベアラを決定することを含む、項目１３に記載の方法。
（項目１５）
上記少なくとも１つの二次経路を確立することは、上記少なくとも１つの二次経路と上記ネットワークエンティティ内に構成される無線ベアラとの間のマッピングを生成することを含む、項目９に記載の方法。
（項目１６）
上記構成メッセージ内に構成される無線ベアラ識別に基づいて、上記無線ベアラを決定することを含む、項目１５に記載の方法。
（項目１７）
上記少なくとも１つの二次経路を確立することは、少なくとも１つの無線リンク制御エンティティに基づいて、上記少なくとも１つの二次経路を生成することを含む、項目９に記載の方法。
（項目１８）
上記構成メッセージ内に構成される少なくとも１つの無線リンク制御構成に基づいて、上記少なくとも１つの無線リンク制御エンティティを決定することを含む、項目１７に記載の方法。
（項目１９）
上記少なくとも１つの二次経路が存在しないと決定することに応答して、上記ネットワークエンティティへの上記少なくとも１つの二次経路を確立することを含む、項目６に記載の方法。
（項目２０）
上記少なくとも１つの二次経路が存在しないと決定することに応答して、第２のネットワークエンティティへの上記少なくとも１つの二次経路を確立することを含む、項目６に記載の方法。
（項目２１）
上記構成メッセージが上記少なくとも１つの二次経路をリリースする命令を備えると決定することに応答して、パケットデータコンパージェンスプロトコルステータス報告を上記ネットワークエンティティに伝送することを含む、項目１に記載の方法。
（項目２２）
上記構成メッセージが上記少なくとも１つの二次経路をリリースする命令を備えると決定することに応答して、パケットデータコンパージェンスプロトコルステータス報告を上記ネットワークエンティティに伝送することを含む、項目１に記載の方法。
（項目２３）
上記少なくとも１つの二次経路を修正することは、上記構成メッセージが上記少なくとも１つの二次経路をリリースする命令を備えると決定することに応答して、上記少なくとも１つの二次経路と上記ネットワークエンティティ内に構成される無線ベアラとの間のマッピングを削除することを含む、項目７に記載の方法。
（項目２４）
上記少なくとも１つの二次経路を修正することは、上記構成メッセージが上記少なくとも１つの二次経路にリンクされる無線ベアラを削除する命令を備えると決定することに応答して、上記少なくとも１つの二次経路と上記無線ベアラとの間のマッピングを削除することを含む、項目７に記載の方法。
（項目２５）
上記少なくとも１つの二次経路を修正することは、上記構成メッセージが通信デバイスと関連付けられる第１のベアラタイプを変更する命令を備えると決定することに応答して、上記通信デバイスの１つ以上のコンポーネントを上記第１のベアラタイプに対応する第１の構成から第２のベアラタイプに対応する第２の構成に修正することを含む、項目７に記載の方法。
（項目２６）
上記通信デバイスは、ユーザ機器を備える、項目２５に記載の方法。
（項目２７）
上記構成メッセージ内に構成される少なくとも１つの二次経路モード識別に基づいて、上記少なくとも１つの二次経路に関するモードを決定することを含む、項目１に記載の方法。
（項目２８）
上記モードを決定することは、
上記少なくとも１つの二次経路モード識別が第１の識別を備えると決定することに応答して、上記モードが複製モードであると決定することと、
上記少なくとも１つの二次経路モード識別が第２の識別を備えると決定することに応答して、上記モードが分割モードであると決定することと
を含む、項目２７に記載の方法。
（項目２９）
方法であって、
無線ベアラと関連する少なくとも１つの二次経路を確立する要求をネットワークエンティティに伝送することと、
上記ネットワークエンティティから上記要求への応答を受信することであって、上記応答は、無線リソース情報と、アドレス情報とを備える、ことと、
上記無線リソース情報および上記アドレス情報に基づいて、構成メッセージを生成することであって、上記構成メッセージは、少なくとも１つの二次経路識別を備える、ことと、
上記構成メッセージを通信デバイスに伝送することと
を含む、方法。
（項目３０）
上記通信デバイスから構成ステータスメッセージを受信することと、
上記構成ステータスメッセージに基づいて、上記少なくとも１つの二次経路識別に対応する上記少なくとも１つの二次経路のステータスを決定することと
を含む、項目２９に記載の方法。
（項目３１）
上記ステータスに基づいて、上記少なくとも１つの二次経路に対応する１つ以上の設定を修正することを含む、項目３０に記載の方法。
（項目３２）
上記ステータスが第１のステータスに対応すると決定することに応答して、第１の動作を実施することと、
上記ステータスが第２のステータスに対応すると決定することに応答して、第２の動作を実施することと
を含む、項目３０に記載の方法。
（項目３３）
方法であって、
少なくとも１つの二次経路を確立する要求に基づいて、無線リソース情報およびアドレス情報を決定することと、
上記無線リソース情報および上記アドレス情報に基づいて、構成メッセージを生成することであって、上記構成メッセージは、少なくとも１つの二次経路識別を備える、ことと、
上記構成メッセージを通信デバイスに伝送することと
を含む、方法。
（項目３４）
通信デバイスであって、
プロセッサと、
プロセッサ実行可能命令を備えるメモリであって、上記プロセッサ実行可能命令は、上記プロセッサによって実行されると、項目１−３３のいずれかに記載の方法の実施を引き起こす、メモリと
を備える、通信デバイス。
（項目３５）
非一過性コンピュータ可読媒体であって、上記非一過性コンピュータ可読媒体は、その上に記憶されるプロセッサ実行可能命令を有し、上記プロセッサ実行可能命令は、実行されると、項目１−３３のいずれかに記載の方法の実施を引き起こす、非一過性コンピュータ可読媒体。
【手続補正４】
【補正対象書類名】明細書
【補正対象項目名】０１１２
【補正方法】変更
【補正の内容】
【０１１２】
第１の論理チャネル６１０Ａは、（例えば、データ）無線ベアラ構成６２０Ａを備えてもよく、これは、（例えば、ＥＰＣ）ベアラ識別、（例えば、データ）無線ベアラ識別、および／またはＰＤＣＰ構成情報を備えてもよい。第１の論理チャネル６１０Ａは、代替として、および／または加えて、第１の論理チャネル構成６２５Ａを備えてもよく、これは、（例えば、第１の論理チャネル６１０Ａの）第１の論理チャネル識別、アンカ（例えば、データ）無線ベアラ識別、ＲＬＣ構成情報、および／または第１の論理チャネル構成情報を備えてもよい。とりわけ、無線ベアラ構成６２０Ａは、第１の論理チャネル構成６２５Ａと別個であってもよい。しかしながら、無線ベアラ構成６２０Ａのうちの少なくともいくつかは、（例えば、両方の構成において構成され得る）（例えば、データ）無線ベアラ識別に基づいて、第１の論理チャネル構成６２５Ａと関連付けられてもよい（例えば、それにリンクされてもよい）。
【手続補正５】
【補正対象書類名】明細書
【補正対象項目名】０１１３
【補正方法】変更
【補正の内容】
【０１１３】
第２の論理チャネル６１５Ａは、第２の論理チャネル構成６３０Ａを備えてもよく、これは、（例えば、第２の論理チャネル６１５Ａの）第２の論理チャネル識別、アンカ（例えば、データ）無線ベアラ識別、ＲＬＣ構成情報、および／または第２の論理チャネル構成情報を備えてもよい。いくつかの実施例では、第２の論理チャネル構成６３０Ａのうちの少なくともいくつかは、第１の論理チャネル構成６２５Ａのうちの少なくともいくつかと異なる。いくつかの実施例では、第２の論理チャネル構成６３０Ａのうちの少なくともいくつかは、第１の論理チャネル構成６２５Ａのうちの少なくともいくつかと同一である。いくつかの実施例では、第２の論理チャネル６１５Ａは、無線ベアラ構成を備えていない場合がある。いくつかの実施例では、第２の論理チャネル６１５Ａは、第２の無線ベアラ構成を備えてもよい。いくつかの実施例では、第２の無線ベアラ構成は、無線ベアラ構成６２０Ａと同一であってもよい。いくつかの実施例では、第２の無線ベアラ構成は、無線ベアラ構成６２０Ａと異なってもよい。
【手続補正６】
【補正対象書類名】明細書
【補正対象項目名】０１１５
【補正方法】変更
【補正の内容】
【０１１５】
第１の論理チャネル６１０Ｂは、（例えば、データ）無線ベアラ構成６２０Ｂを備えてもよく、これは、（例えば、ＰＤＣＰエンティティにマッピングされ得る）ＰＤＣＰ構成情報を備えてもよい。第１の論理チャネル６１０Ｂは、代替として、および／または加えて、第１の論理チャネル構成６２５Ｂを備えてもよく、これは、ＲＬＣ構成情報を備えてもよい。ＲＬＣ構成情報が、２つ以上のＲＬＣエンティティにマッピングされ得る構成を備えるとき、非肯定応答モード（ＵＭ）が、実装されてもよい。ＲＬＣ構成情報が、（例えば、単に）１つのＲＬＣエンティティにマッピングされ得る構成を備えるとき、肯定応答モード（ＡＭ）が、実装されてもよい。とりわけ、無線ベアラ構成６２０Ｂは、第１の論理チャネル構成６２５Ｂと別個であってもよい。
【国際調査報告】
2020509629.tif 000018
2020509629.tif 000019